(57)【要約】  本願は、ビデオ作成方法、装置、記憶媒体、及びコンピュータ機器に関する。ビデオ作成方法は、ビデオ再生インタフェースで参照ビデオコンテンツを再生しているときに、参照撮影指示を受け付けるステップであって、参照撮影指示には、参照ビデオ識別子が含まれる、ステップと、端末スクリーンに第１ビデオ表示領域及び第２ビデオ表示領域を表示するステップと、前記第１ビデオ表示領域で前記参照ビデオコンテンツを再生するとともに、前記第２ビデオ表示領域で、表示されているリアルタイムビデオコンテンツを録画するステップと、録画したリアルタイムビデオコンテンツと、前記参照ビデオコンテンツとに基づいて、ターゲットビデオを生成するステップと、を含む。本願発明によれば、ユーザが、ビデオの録画中に、該参照ビデオコンテンツを参照して出演することができ、ユーザによる参照録画の難しさを低減させ、ユーザ粘着性を向上させることができる。
2021520146.tif 000002
【特許請求の範囲】
【請求項１】
端末機器が実行するビデオ作成方法であって、
ビデオ再生インタフェースで参照ビデオコンテンツを再生しているときに、参照撮影指示を受け付けるステップであって、前記参照撮影指示には、参照ビデオ識別子が含まれる、ステップと、
端末スクリーンに第１ビデオ表示領域及び第２ビデオ表示領域を表示するステップであって、前記第１ビデオ表示領域が、前記参照ビデオ識別子に対応する前記参照ビデオコンテンツを表示するためのものであり、前記第２ビデオ表示領域が、端末撮像装置で収集されたリアルタイムビデオコンテンツを表示するためのものである、ステップと、
前記第１ビデオ表示領域で前記参照ビデオコンテンツを再生するとともに、前記第２ビデオ表示領域で、表示されている前記リアルタイムビデオコンテンツを録画するステップと、
録画した前記リアルタイムビデオコンテンツと、前記参照ビデオコンテンツとに基づいて、ターゲットビデオを生成するステップと、
を含む方法。
【請求項２】
ビデオ再生インタフェースで前記参照ビデオコンテンツを再生しているときに、参照撮影指示を受け付ける前記ステップは、
前記ビデオ再生インタフェースで前記参照ビデオコンテンツを再生しているときに、参照撮影開始点設定指示を受け付けるステップであって、前記参照撮影開始点設定指示には、参照撮影開始点情報が付されている、ステップと、
前記参照撮影開始点設定指示に基づいて、前記参照撮影指示を生成するステップであって、前記参照撮影指示には、前記参照撮影開始点情報がさらに含まれる、ステップと、
を含むことを特徴とする請求項１に記載の方法。
【請求項３】
ビデオ再生インタフェースで前記参照ビデオコンテンツを再生しているときに、参照撮影指示を受け付ける前記ステップは、
前記ビデオ再生インタフェースで前記参照ビデオコンテンツを再生しているときに、参照撮影終了点設定指示を受け付けるステップであって、前記参照撮影終了点設定指示には、参照撮影終了点情報が付されている、ステップと、
前記参照撮影終了点設定指示に基づいて、前記参照撮影指示を生成するステップであって、前記参照撮影指示には、前記参照撮影終了点情報がさらに含まれる、ステップと、
を含むことを特徴とする請求項１に記載の方法。
【請求項４】
ビデオ再生インタフェースで前記参照ビデオコンテンツを再生しているときに、前記参照撮影指示を受け付ける前記ステップは、
前記ビデオ再生インタフェースで前記参照ビデオコンテンツを再生しているときに、前記ビデオ再生インタフェースで所定の操作を受け付けることにより、前記参照撮影指示を受け付けるステップ、
を含むことを特徴とする請求項１に記載の方法。
【請求項５】
前記第１ビデオ表示領域は、前記第２ビデオ表示領域の表示範囲内にあり、且つ前記第２ビデオ表示領域上に浮かぶ、
ことを特徴とする請求項１に記載の方法。
【請求項６】
前記第１ビデオ表示領域と前記第２ビデオ表示領域との重なり面積は所定の閾値以下であり、前記所定の閾値は非負の数である、
ことを特徴とする請求項１に記載の方法。
【請求項７】
端末スクリーンに第１ビデオ表示領域及び第２ビデオ表示領域を表示する前記ステップの後に、
インタフェース調整指示を受け付け、前記インタフェース調整指示に従って、前記第１ビデオ表示領域の表示形態を調整するステップであって、前記表示形態が、第１ビデオ表示領域のサイズを含む、ステップ、
をさらに含むことを特徴とする請求項１に記載の方法。
【請求項８】
端末スクリーンに第１ビデオ表示領域及び第２ビデオ表示領域を表示する前記ステップの後に、
インタフェース調整指示を受け付け、前記インタフェース調整指示に従って、前記第１ビデオ表示領域の表示形態を調整するステップであって、前記表示形態が、第１ビデオ表示領域の位置を含む、ステップ、
をさらに含むことを特徴とする請求項１に記載の方法。
【請求項９】
端末スクリーンに第１ビデオ表示領域及び第２ビデオ表示領域を表示する前記ステップの後に、
インタフェース調整指示を受け付け、前記インタフェース調整指示に従って、前記第２ビデオ表示領域の表示形態を調整するステップであって、前記表示形態が、第２ビデオ表示領域のサイズを含む、ステップ、
をさらに含むことを特徴とする請求項１に記載の方法。
【請求項１０】
端末スクリーンに第１ビデオ表示領域及び第２ビデオ表示領域を表示する前記ステップの後に、
インタフェース調整指示を受け付け、前記インタフェース調整指示に従って、前記第２ビデオ表示領域の表示形態を調整するステップであって、前記表示形態が、第２ビデオ表示領域の位置を含む、ステップ、
をさらに含むことを特徴とする請求項１に記載の方法。
【請求項１１】
端末スクリーンに第１ビデオ表示領域及び第２ビデオ表示領域を表示する前記ステップの後に、
前記参照ビデオコンテンツに追加リソースが含まれる場合、前記追加リソースを前記第２ビデオ表示領域に表示するステップであって、前記追加リソースには、音楽、ウィジェット、特殊効果、及び話題のうちの少なくとも１つが含まれる、ステップ、
をさらに含むことを特徴とする請求項１に記載の方法。
【請求項１２】
端末スクリーンに第１ビデオ表示領域及び第２ビデオ表示領域を表示する前記ステップの後に、
前記参照ビデオコンテンツに追加リソースが含まれる場合、前記追加リソースのリソース情報を前記第２ビデオ表示領域に表示するステップであって、前記追加リソースには、音楽、ウィジェット、特殊効果、及び話題のうちの少なくとも１つが含まれる、ステップ、
をさらに含むことを特徴とする請求項１に記載の方法。
【請求項１３】
前記参照ビデオコンテンツに追加リソースが含まれる場合、前記追加リソースを前記第２ビデオ表示領域に表示する前記ステップは、
前記追加リソースに前記音楽が含まれる場合、前記音楽をロードするステップと、
前記追加リソースに前記ウィジェットが含まれる場合、前記ウィジェットをロードするステップと、
前記追加リソースに前記話題が含まれる場合、前記話題をロードするステップと、
ロード済みの前記追加リソースを前記第２ビデオ表示領域に表示するステップと、
を含むことを特徴とする請求項１１に記載の方法。
【請求項１４】
前記参照ビデオコンテンツに追加リソースが含まれる場合、前記追加リソースのリソース情報を前記第２ビデオ表示領域に表示する前記ステップは、
前記追加リソースに前記音楽が含まれる場合、前記音楽をロードするステップと、
前記追加リソースに前記ウィジェットが含まれる場合、前記ウィジェットをロードするステップと、
前記追加リソースに前記話題が含まれる場合、前記話題をロードするステップと、
ロード済みの前記追加リソースのリソース情報を前記第２ビデオ表示領域に表示するステップと、
を含むことを特徴とする請求項１２に記載の方法。
【請求項１５】
前記参照ビデオコンテンツには、ビデオリソース及び前記追加リソースが含まれ、
前記方法は、
端末スクリーンに第１ビデオ表示領域及び第２ビデオ表示領域を表示する前記ステップの後に、
前記追加リソースに前記音楽が含まれない場合、前記参照ビデオコンテンツにおける前記ビデオリソースのオーディオをロードするステップと、
ロード済みの前記オーディオのオーディオ情報を前記第２ビデオ表示領域に表示するステップと、
をさらに含むことを特徴とする請求項１３又は１４に記載の方法。
【請求項１６】
前記追加リソースを前記第２ビデオ表示領域に表示する前記ステップの前に、対応する前記追加リソースをダウンロードする、
ことを特徴とする請求項１１に記載の方法。
【請求項１７】
前記追加リソースのリソース情報を前記第２ビデオ表示領域に表示する前記ステップの前に、対応する前記追加リソースをダウンロードする、
ことを特徴とする請求項１２に記載の方法。
【請求項１８】
前記参照ビデオコンテンツに追加リソースが含まれる場合、前記追加リソースを前記第２ビデオ表示領域に表示する前記ステップは、
前記参照ビデオコンテンツに追加リソースが含まれ、且つ同じタイプの追加リソースを追加するための指示を受け付けた場合、前記同じタイプの追加リソースを追加するための指示におけるリソース識別子に従って、前記追加リソースを前記第２ビデオ表示領域に表示するステップ、
を含むことを特徴とする請求項１１に記載の方法。
【請求項１９】
前記参照ビデオコンテンツに追加リソースが含まれる場合、前記追加リソースのリソース情報を前記第２ビデオ表示領域に表示する前記ステップは、
前記参照ビデオコンテンツに追加リソースが含まれ、且つ同じタイプの追加リソースを追加するための指示を受け付けた場合、前記同じタイプの追加リソースを追加するための指示におけるリソース識別子に従って、前記リソース情報を前記第２ビデオ表示領域に表示するステップ、
を含むことを特徴とする請求項１２に記載の方法。
【請求項２０】
前記同じタイプの追加リソースを追加するための指示における前記リソース識別子は、前記参照ビデオコンテンツにおける所定の前記追加リソースの前記リソース識別子を含む、
ことを特徴とする請求項１８又は１９に記載の方法。
【請求項２１】
前記第１ビデオ表示領域で前記参照ビデオコンテンツを再生するとともに、前記第２ビデオ表示領域で、表示されている前記リアルタイムビデオコンテンツを録画する前記ステップの前に、
リソース追加指示を受け付け、前記リソース追加指示におけるリソース識別子に対応するリソースを前記第２ビデオ表示領域に追加するステップであって、前記リソースには、音楽、ウィジェット、特殊効果、話題、及びビデオリソースのオーディオのうちの少なくとも１つが含まれる、ステップ、
をさらに含むことを特徴とする請求項１に記載の方法。
【請求項２２】
前記第１ビデオ表示領域で前記参照ビデオコンテンツを再生するとともに、前記第２ビデオ表示領域で、表示されている前記リアルタイムビデオコンテンツを録画する前記ステップは、
速度変更録画指示を受け付けるステップであって、前記速度変更録画指示には、速度変更倍率が付されている、ステップと、
前記速度変更倍率に基づいて、前記参照ビデオコンテンツの再生速度を決定するテップと、
前記第１ビデオ表示領域で、前記参照ビデオコンテンツを前記再生速度で再生するステップと、
を含むことを特徴とする請求項１に記載の方法。
【請求項２３】
前記第１ビデオ表示領域で前記参照ビデオコンテンツを再生するとともに、前記第２ビデオ表示領域で、表示されている前記リアルタイムビデオコンテンツを録画する前記ステップは、
速度変更録画指示を受け付けるステップであって、前記速度変更録画指示には、速度変更倍率が付されている、ステップと、
前記速度変更倍率に基づいて、前記リアルタイムビデオコンテンツの録画速度を決定するステップと、
前記第２ビデオ表示領域で、表示されている前記リアルタイムビデオコンテンツを前記録画速度で録画するステップと、
を含むことを特徴とする請求項１に記載の方法。
【請求項２４】
前記参照ビデオ識別子の数が２以上である、ことを特徴とする請求項１に記載の方法。
【請求項２５】
前記第１ビデオ表示領域で前記参照ビデオコンテンツを再生するとともに、前記第２ビデオ表示領域で、表示されている前記リアルタイムビデオコンテンツを録画する前記ステップは、
前記第２ビデオ表示領域で、表示されている前記リアルタイムビデオコンテンツを録画しているときに、前記第１ビデオ表示領域で、所定の順番に従って、各前記参照ビデオ識別子に対応する前記参照ビデオコンテンツを再生するステップであって、前記参照ビデオ識別子のそれぞれに対応する前記参照ビデオコンテンツが、前記ターゲットビデオにおける１つのターゲットクリップに対応するものである、ステップ、
を含むことを特徴とする請求項２４に記載の方法。
【請求項２６】
前記第２ビデオ表示領域で、表示されている前記リアルタイムビデオコンテンツを録画しているときに、前記第１ビデオ表示領域で、所定の順番に従って、前記参照ビデオ識別子のそれぞれに対応する前記参照ビデオコンテンツを再生する前記ステップは、
前記第２ビデオ表示領域で、表示されている前記ターゲットクリップの前記リアルタイムビデオコンテンツを録画しているときに、前記第１ビデオ表示領域で、前記ターゲットクリップに対応する前記参照ビデオ識別子に対応する前記参照ビデオコンテンツを再生するステップと、
前記ターゲットクリップに対応する前記参照ビデオ識別子に対応する前記参照ビデオコンテンツに基づいて、前記ターゲットクリップに対して時間差調整を行うステップと、
を含むことを特徴とする請求項２５に記載の方法。
【請求項２７】
録画した前記リアルタイムビデオコンテンツと、前記参照ビデオコンテンツとに基づいて、ターゲットビデオを生成する前記ステップは、
所定のビデオ合成ストラテジーに従って、録画した前記リアルタイムビデオコンテンツの映像と、所定のオーディオとを合成することにより、ターゲットビデオを生成するステップ、
を含むことを特徴とする請求項１に記載の方法。
【請求項２８】
録画した前記リアルタイムビデオコンテンツと、前記参照ビデオコンテンツとに基づいて、ターゲットビデオを生成する前記ステップの後に、
ビデオ編集指示を受け付け、前記ビデオ編集指示に従って、前記ターゲットビデオを編集するステップ、
をさらに含むことを特徴とする請求項１に記載の方法。
【請求項２９】
録画した前記リアルタイムビデオコンテンツと、前記参照ビデオコンテンツとに基づいて、ターゲットビデオを生成する前記ステップの後に、
ビデオ投稿指示を受け付け、前記ビデオ投稿指示に従って、前記ターゲットビデオを投稿するステップ、
をさらに含むことを特徴とする請求項１〜２８のいずれか１項に記載の方法。
【請求項３０】
端末機器に設置されたビデオ作成装置であって、
ビデオ再生インタフェースで参照ビデオコンテンツを再生しているときに、参照撮影指示を受け付け、前記参照撮影指示には、参照ビデオ識別子が含まれる参照撮影指示受付モジュールと、
端末スクリーンに第１ビデオ表示領域及び第２ビデオ表示領域を表示し、前記第１ビデオ表示領域が、前記参照ビデオ識別子に対応する前記参照ビデオコンテンツを表示するためのものであり、前記第２ビデオ表示領域が、端末撮像装置で収集されたリアルタイムビデオコンテンツを表示するためのものであるビデオ領域表示モジュールと、
前記第１ビデオ表示領域で前記参照ビデオコンテンツを再生するとともに、前記第２ビデオ表示領域で、表示されている前記リアルタイムビデオコンテンツを録画するビデオ再生録画モジュールと、
録画された前記リアルタイムビデオコンテンツと、前記参照ビデオコンテンツとに基づいて、ターゲットビデオを生成するターゲットビデオ生成モジュールと、
を備える装置。
【請求項３１】
前記参照撮影指示受付モジュールは、
前記ビデオ再生インタフェースで前記参照ビデオコンテンツを再生しているときに、参照撮影開始点設定指示を受け付け、前記参照撮影開始点設定指示には、参照撮影開始点情報が付されている指示設定ユニットと、
前記参照撮影開始点設定指示に基づいて、前記参照撮影指示を生成し、前記参照撮影指示には、前記参照撮影開始点情報がさらに含まれる指示生成ユニットと、
を備えることを特徴とする請求項３０に記載の装置。
【請求項３２】
前記参照撮影指示受付モジュールは、
前記ビデオ再生インタフェースで前記参照ビデオコンテンツを再生しているときに、参照撮影終了点設定指示を受け付け、前記参照撮影終了点設定指示には、参照撮影終了点情報が付されている指示設定ユニットと、
前記参照撮影終了点設定指示に基づいて、前記参照撮影指示を生成し、前記参照撮影指示には、前記参照撮影終了点情報がさらに含まれる指示生成ユニットと、
を備えることを特徴とする請求項３０に記載の装置。
【請求項３３】
前記参照撮影指示受付モジュールは、前記ビデオ再生インタフェースで前記参照ビデオコンテンツを再生しているときに、前記ビデオ再生インタフェースで所定の操作を受け付けることにより、前記参照撮影指示を受け付ける、
ことを特徴とする請求項３０に記載の装置。
【請求項３４】
前記第１ビデオ表示領域は、前記第２ビデオ表示領域の表示範囲内にあり、且つ前記第２ビデオ表示領域上に浮かぶ、
ことを特徴とする請求項３０に記載の装置。
【請求項３５】
前記第１ビデオ表示領域と前記第２ビデオ表示領域との重なり面積は所定の閾値以下であり、前記所定の閾値は非負の数である、
ことを特徴とする請求項３０に記載の装置。
【請求項３６】
インタフェース調整指示を受け付け、前記インタフェース調整指示に従って、前記第１ビデオ表示領域の表示形態を調整し、前記表示形態が、第１ビデオ表示領域のサイズを含むインタフェース指示受付モジュール、
をさらに備えることを特徴とする請求項３０に記載の装置。
【請求項３７】
インタフェース調整指示を受け付け、前記インタフェース調整指示に従って、前記第１ビデオ表示領域の表示形態を調整し、前記表示形態が、第１ビデオ表示領域の位置を含むインタフェース指示受付モジュール、
をさらに備えることを特徴とする請求項３０に記載の装置。
【請求項３８】
インタフェース調整指示を受け付け、前記インタフェース調整指示に従って、前記第２ビデオ表示領域の表示形態を調整し、前記表示形態が、第２ビデオ表示領域のサイズを含むインタフェース指示受付モジュール、
をさらに備えることを特徴とする請求項３０に記載の装置。
【請求項３９】
インタフェース調整指示を受け付け、前記インタフェース調整指示に従って、前記第２ビデオ表示領域の表示形態を調整し、前記表示形態が、第２ビデオ表示領域の位置を含むインタフェース指示受付モジュール、
をさらに備えることを特徴とする請求項３０に記載の装置。
【請求項４０】
前記参照ビデオコンテンツに追加リソースが含まれる場合、前記追加リソースを前記第２ビデオ表示領域に表示し、前記追加リソースには、音楽、ウィジェット、特殊効果、及び話題のうちの少なくとも１つが含まれる追加リソース表示モジュール、
をさらに備えることを特徴とする請求項３０に記載の装置。
【請求項４１】
前記参照ビデオコンテンツに追加リソースが含まれる場合、前記追加リソースのリソース情報を前記第２ビデオ表示領域に表示し、前記追加リソースには、音楽、ウィジェット、特殊効果、及び話題のうちの少なくとも１つが含まれる追加リソース表示モジュール、
をさらに備えることを特徴とする請求項３０に記載の装置。
【請求項４２】
前記追加リソース表示モジュールは、
前記追加リソースに前記音楽が含まれる場合、前記音楽をロードする音楽ロードユニットと、
前記追加リソースに前記ウィジェットが含まれる場合、前記ウィジェットをロードするウィジェットロードユニットと、
前記追加リソースに前記話題が含まれる場合、前記話題をロードする話題ロードユニットと、
ロード済みの前記追加リソースを前記第２ビデオ表示領域に表示するリソース表示ユニットと、
を備えることを特徴とする請求項４０に記載の装置。
【請求項４３】
前記追加リソース表示モジュールは、
前記追加リソースに前記音楽が含まれる場合、前記音楽をロードする音楽ロードユニットと、
前記追加リソースに前記ウィジェットが含まれる場合、前記ウィジェットをロードするウィジェットロードユニットと、
前記追加リソースに前記話題が含まれる場合、前記話題をロードする話題ロードユニットと、
ロード済みの前記追加リソースのリソース情報を前記第２ビデオ表示領域に表示するリソース表示ユニットと、
を備えることを特徴とする請求項４１に記載の装置。
【請求項４４】
前記参照ビデオコンテンツには、ビデオリソース及び前記追加リソースが含まれ、
前記装置は、
前記追加リソースに前記音楽が含まれない場合、前記参照ビデオコンテンツにおける前記ビデオリソースのオーディオをロードするリソースオーディオロードモジュールと、
ロード済みの前記オーディオのオーディオ情報を前記第２ビデオ表示領域に表示するオーディオ情報表示モジュールと、
をさらに備えることを特徴とする請求項４２又は４３に記載の装置。
【請求項４５】
前記追加リソース表示モジュールが前記追加リソースを前記第２ビデオ表示領域に表示する前に、対応する前記追加リソースをダウンロードする追加リソースダウンロードモジュール、
をさらに備えることを特徴とする請求項４０に記載の装置。
【請求項４６】
前記追加リソース表示モジュールが前記追加リソースのリソース情報を前記第２ビデオ表示領域に表示する前に、対応する前記追加リソースをダウンロードする追加リソースダウンロードモジュール、
をさらに備えることを特徴とする請求項４１に記載の装置。
【請求項４７】
前記追加リソース表示モジュールは、さらに、前記参照ビデオコンテンツに追加リソースが含まれ、且つ同じタイプの追加リソースを追加するための指示を受け付けた場合、前記同じタイプの追加リソースを追加するための指示におけるリソース識別子に従って、前記追加リソースを前記第２ビデオ表示領域に表示する、
ことを特徴とする請求項４０に記載の装置。
【請求項４８】
前記追加リソース表示モジュールは、さらに、前記参照ビデオコンテンツに追加リソースが含まれ、且つ同じタイプの追加リソースを追加するための指示を受け付けた場合、前記同じタイプの追加リソースを追加するための指示におけるリソース識別子に従って、前記リソース情報を前記第２ビデオ表示領域に表示する、
ことを特徴とする請求項４１に記載の装置。
【請求項４９】
前記同じタイプの追加リソースを追加するための指示における前記リソース識別子は、前記参照ビデオコンテンツにおける所定の前記追加リソースの前記リソース識別子を含む、
ことを特徴とする請求項４７又は４８に記載の装置。
【請求項５０】
リソース追加指示を受け付け、前記リソース追加指示におけるリソース識別子に対応するリソースを前記第２表示領域に追加し、前記リソースには、音楽、ウィジェット、特殊効果、話題、及びビデオリソースのオーディオのうちの少なくとも１つが含まれるリソース追加モジュール、
をさらに備えることを特徴とする請求項３０に記載の装置。
【請求項５１】
前記ビデオ再生録画モジュールは、
速度変更録画指示を受け付け、前記速度変更録画指示には、速度変更倍率が付されている速度変更指示受付ユニットと、
前記速度変更倍率に基づいて、前記参照ビデオコンテンツの再生速度を決定する速度決定ユニットと、
前記第１ビデオ表示領域で、前記参照ビデオコンテンツを前記再生速度で再生するビデオ再生ユニットと、
を備えることを特徴とする請求項３０に記載の装置。
【請求項５２】
前記ビデオ再生録画モジュールは、
速度変更録画指示を受け付け、前記速度変更録画指示には、速度変更倍率が付されている速度変更指示受付ユニットと、
前記速度変更倍率に基づいて、前記リアルタイムビデオコンテンツの録画速度を決定する速度決定ユニットと、
前記第２ビデオ表示領域で、表示されている前記リアルタイムビデオコンテンツを前記録画速度で録画するビデオ録画ユニットと、
を備えることを特徴とする請求項３０に記載の装置。
【請求項５３】
前記参照ビデオ識別子の数が２以上である、ことを特徴とする請求項３０に記載の装置。
【請求項５４】
前記ビデオ再生録画モジュールは、
前記第２ビデオ表示領域で、表示されている前記リアルタイムビデオコンテンツを録画しているときに、前記第１ビデオ表示領域で、所定の順番に従って、各前記参照ビデオ識別子に対応する前記参照ビデオコンテンツを再生し、前記参照ビデオ識別子のそれぞれに対応する前記参照ビデオコンテンツが、前記ターゲットビデオにおける１つのターゲットクリップに対応するものである、
ことを特徴とする請求項５３に記載の装置。
【請求項５５】
前記ビデオ再生録画モジュールは、
前記第２ビデオ表示領域で、表示されている前記ターゲットクリップの前記リアルタイムビデオコンテンツを録画しているときに、前記第１ビデオ表示領域で、前記ターゲットクリップに対応する前記参照ビデオ識別子に対応する前記参照ビデオコンテンツを再生するターゲットクリップ録画ユニットと、
前記ターゲットクリップに対応する前記参照ビデオ識別子に対応する前記参照ビデオコンテンツに基づいて、前記ターゲットクリップに対して時間差調整を行うターゲットクリップ調整ユニットと、
を備えることを特徴とする請求項５４に記載の装置。
【請求項５６】
前記ターゲットビデオ生成モジュールは、
所定のビデオ合成ストラテジーに従って、録画された前記リアルタイムビデオコンテンツの映像と、所定のオーディオとを合成することにより、ターゲットビデオを生成する、
ことを特徴とする請求項３０に記載の装置。
【請求項５７】
ビデオ編集指示を受け付け、前記ビデオ編集指示に従って、前記ターゲットビデオを編集するビデオ編集モジュール、
をさらに備えることを特徴とする請求項３０に記載の装置。
【請求項５８】
ビデオ投稿指示を受け付け、前記ビデオ投稿指示に従って、前記ターゲットビデオを投稿するビデオ投稿モジュール、
をさらに備えることを特徴とする請求項３０〜５７のいずれか１項に記載の装置。
【請求項５９】
メモリとプロセッサとを備えるコンピュータ機器であって、前記メモリには、コンピュータプログラムが記憶され、前記プロセッサは、前記コンピュータプログラムを実行すると、請求項１〜２９のいずれか１項に記載の方法のステップを実現する、ことを特徴とするコンピュータ機器。
【請求項６０】
コンピュータプログラムを記憶したコンピュータ可読記憶媒体であって、前記コンピュータプログラムは、プロセッサにより実行されると、請求項１〜２９のいずれか１項に記載の方法のステップを実現させる、ことを特徴とする記憶媒体。
【発明の詳細な説明】
【技術分野】
【０００１】
本願は、２０１８年０４月２８日に中国特許庁に提出された、出願番号が２０１８１０４０４９３３５であり、発明の名称が「ビデオ作成方法、装置、端末、及び記憶媒体」である中国特許出願に基づく優先権を主張し、その全ての内容は参照することにより本願に組み込まれる。
【０００２】
本願は、コンピュータ情報の技術分野に関し、特にビデオ作成方法、装置、コンピュータ機器、及び記憶媒体に関する。
【背景技術】
【０００３】
情報技術の発展に伴い、ビデオを介して交流するビデオコミュニティがますます広く使用されている。通常のユーザは、撮影の参照及びインスピレーションの多くが、ビデオを見るシーンから来るものであり、例えば、ダンスや絵などのコンテンツのビデオを見ると、真似したい。
【発明の概要】
【発明が解決しようとする課題】
【０００４】
従来のビデオ作成方式では、ユーザがビデオを作成するには手間がかかる。ダンスの真似を例にすると、ユーザが全ての動作に熟練するほど習得していない限り、２つの端末を用意して、一方で見ながら、他方で撮影する必要があり、このようにしても、動作は、必ずしも追いつけるとは限らない。このため、従来のビデオ作成方法では、ユーザへの要求が高く、通常のユーザは、ビデオコミュニティで主にビデオを視聴し、プロフェッショナル生成コンテンツ（ＰＧＣ：Ｐｒｏｆｅｓｓｉｏｎａｌｌｙ−ｇｅｎｅｒａｔｅｄ  Ｃｏｎｔｅｎｔ）、及びプロフェッショナルユーザー生成コンテンツ（ＰＵＧＣ：Ｐｒｏｆｅｓｓｉｏｎａｌ  Ｕｓｅｒ  Ｇｅｎｅｒａｔｅｄ  Ｃｏｎｔｅｎｔ）を消費する。ユーザは、面白いコンテンツがあるビデオコミュニティへ移動する傾向があるため、従来のビデオ作成方法を用いたビデオコミュニティは、ユーザ粘着性が低い。
【０００５】
本願で提供された各種実施例によれば、ビデオ作成方法、装置、コンピュータ機器、及び記憶媒体を提供する。
【課題を解決するための手段】
【０００６】
ビデオ作成方法であって、
ビデオ再生インタフェースで参照ビデオコンテンツを再生しているときに、参照撮影指示を受け付けるステップであって、前記参照撮影指示には、参照ビデオ識別子が含まれる、ステップと、
端末スクリーンに第１ビデオ表示領域及び第２ビデオ表示領域を表示するステップであって、前記第１ビデオ表示領域が、前記参照ビデオ識別子に対応する前記参照ビデオコンテンツを表示するためのものであり、前記第２ビデオ表示領域が、端末撮像装置で収集されたリアルタイムビデオコンテンツを表示するためのものである、ステップと、
前記第１ビデオ表示領域で前記参照ビデオコンテンツを再生するとともに、前記第２ビデオ表示領域で、表示されている前記リアルタイムビデオコンテンツを録画するステップと、
録画した前記リアルタイムビデオコンテンツと、前記参照ビデオコンテンツとに基づいて、ターゲットビデオを生成するステップと、を含む。
【０００７】
ビデオ作成装置であって、
ビデオ再生インタフェースで前記参照ビデオコンテンツを再生しているときに、参照撮影指示を受け付け、前記参照撮影指示には、参照ビデオ識別子が含まれる参照撮影指示受付モジュールと、
端末スクリーンに第１ビデオ表示領域及び第２ビデオ表示領域を表示し、前記第１ビデオ表示領域が、前記参照ビデオ識別子に対応する前記参照ビデオコンテンツを表示するためのものであり、前記第２ビデオ表示領域が、端末撮像装置で収集されたリアルタイムビデオコンテンツを表示するためのものであるビデオ領域表示モジュールと、
前記第１ビデオ表示領域で前記参照ビデオコンテンツを再生するとともに、前記第２ビデオ表示領域で、表示されている前記リアルタイムビデオコンテンツを録画するビデオ再生録画モジュールと、
録画された前記リアルタイムビデオコンテンツと、前記参照ビデオコンテンツとに基づいて、ターゲットビデオを生成するターゲットビデオ生成モジュールと、を備える。
【０００８】
メモリとプロセッサとを備えるコンピュータ機器であって、前記メモリには、コンピュータプログラムが記憶され、前記プロセッサは、前記コンピュータプログラムを実行すると、上記方法のステップを実現する。
【０００９】
コンピュータプログラムを記憶したコンピュータ可読記憶媒体であって、前記コンピュータプログラムは、プロセッサにより実行されると、上記方法のステップを実現させる。
【００１０】
本願の１つ又は複数の実施例の詳細は、以下の図面及び説明に記載されている。本願のほかの特徴、目的及び利点は、明細書、図面及び特許請求の範囲から明らかになる。
【００１１】
本願の実施例又は従来技術の構成をより明確に説明するために、以下、実施例又は従来技術の説明に必要な図面を簡単的に紹介する。明らかに、以下の説明における図面は本願のいくつかの実施例を示しているにすぎず、当業者にとって、創造的な労働をせずに、これらの図面から他の図面を得ることもできる。
【図面の簡単な説明】
【００１２】
【図１】一実施例で提供されたビデオ作成方法の適用環境図である。
【図２】一実施例で提供されたビデオ作成方法の模式的フローチャートである。
【図３】他の実施例で提供されたビデオ作成方法の模式的フローチャートである。
【図４】一実施例で提供されたビデオ参照撮影インタフェースの模式図である。
【図５】別の実施例で提供されたビデオ作成方法の模式的フローチャートである。
【図６】一実施例で提供されたビデオ作成方法の１つの特定のステップの模式的フローチャートである。
【図７】一実施例で提供されたビデオ作成方法の１つの特定のステップの模式的フローチャートである。
【図８】一実施例で提供されたビデオ作成方法の１つの特定のステップの模式的フローチャートである。
【図９】具体的な一実施例で提供されたビデオ作成のプロセス図である。
【図１０】一実施例で提供されたビデオ再生インタフェースの模式図である。
【図１１】一実施例で提供されたビデオ作成装置の構成ブロック図である。
【図１２】一実施例で提供されたコンピュータ機器の内部構成図である。
【発明を実施するための形態】
【００１３】
本願発明の目的、構成、及び技術的効果をより明確にするために、以下、図面を参照しながら、本願の具体的な実施例を説明する。理解すべきものとして、ここで説明される具体的な実施例は、本願を解釈するためのものにすぎず、本願を限定するものではない。
【００１４】
本願で提供されたビデオ作成方法は、図１に示す適用環境に適用可能である。ここで、端末１０２は、ネットワークを介してサーバ１０４と通信する。本願のビデオ作成方法は、端末１０２で実行可能である。端末１０２は、ビデオ要求をサーバ１０４に送信し、サーバ１０４は、受信したビデオ要求に応じて、再生対象のビデオデータを端末１０２に返信する。端末１０２は、ビデオの録画を終了した後、ビデオをサーバ１０４に送信して投稿してもよい。これにより、新しいビデオデータを形成し、他の人による視聴又は参照撮影に供してもよい。ここで、端末１０２は、様々なパーソナルコンピュータ、ノートブックコンピュータ、スマートフォン、タブレットコンピュータやポータブルウェアラブルデバイスであってもよいが、これらに限定されない。サーバ１０４は、独立したサーバ、又は複数のサーバから構成されるサーバクラスタで実現されてもよい。
【００１５】
一実施例では、図２に示すように、ビデオ作成方法が提供されている。本実施例では、主に、該方法が上記の図１の端末に適用される場合を例示して説明する。図２を参照すると、該ビデオ作成方法は、下記のステップを含む。
【００１６】
Ｓ２０２で、ビデオ再生インタフェースで参照ビデオコンテンツを再生しているときに、参照撮影指示を受け付ける。
【００１７】
端末は、ビデオ再生インタフェースで参照ビデオコンテンツを再生しているときに、ユーザにより入力／指示された参照撮影指示を受け付ける。ビデオ再生インタフェースは、端末が参照撮影指示を受け付ける前にビデオコンテンツを再生する再生インタフェースである。ユーザは、再生中のビデオコンテンツを参照ビデオコンテンツとしたい場合、該ビデオコンテンツの再生中に、端末に参照撮影指示を入力／指示し、この場合、該再生中のビデオコンテンツが参照ビデオコンテンツである。ビデオ再生インタフェースで参照ビデオコンテンツを再生しているときに、端末の所定のボタンが所定の方式で押下されたことを受け付けるか、端末が所定のアクション（シェイクなど）を実行したことを検出することにより、参照撮影指示を受け付けてもよいし、ビデオ再生インタフェースで所定の操作を受け付けることにより、参照撮影指示を受け付けてもよい。ユーザがビデオを視聴して初めて、該再生中のビデオコンテンツ（即ち、参照ビデオコンテンツ）を参照して撮影したいアイデアが生まれるのが一般的であるため、ビデオ再生インタフェースで参照ビデオコンテンツを再生しているときに、参照撮影指示を受け付けるような方式によって、ユーザの操作を便利にすることができ、さらにユーザ粘着性を向上させる。
【００１８】
参照撮影指示には、参照ビデオ識別子が含まれる。参照撮影指示は、端末撮像装置で収集されたリアルタイムビデオコンテンツを表示するとともに、参照ビデオ識別子に対応する参照ビデオコンテンツを再生するように端末に指示するためのものである。該参照ビデオ識別子は、番号や名称など、参照ビデオコンテンツを一意に識別できるデータであってもよい。
【００１９】
Ｓ２０４で、端末スクリーンに第１ビデオ表示領域及び第２ビデオ表示領域を表示する。
【００２０】
端末は、参照撮影指示を受け付けると、インタフェースに第１ビデオ表示領域及び第２ビデオ表示領域を表示し、即ち、端末のビデオ参照撮影インタフェースには、第１ビデオ表示領域及び第２ビデオ表示領域が含まれる。第１ビデオ表示領域は、参照ビデオ識別子に対応する参照ビデオコンテンツを表示するためのものであり、第２ビデオ表示領域は、端末撮像装置で収集されたリアルタイムビデオコンテンツを表示するためのものである。
【００２１】
端末撮像装置は、端末スクリーンと同じ側に設置してもよい。例えば、端末撮像装置は、フロントカメラや回転カメラなどであってもよい。これにより、ユーザが端末スクリーン上のコンテンツを視聴できるとともに、端末撮像装置は、このユーザのリアルタイムビデオコンテンツを収集できる。
【００２２】
Ｓ２０６で、第１ビデオ表示領域で参照ビデオコンテンツを再生するとともに、第２ビデオ表示領域で、表示されているリアルタイムビデオコンテンツを録画する。
【００２３】
第１ビデオ表示領域及び第２ビデオ表示領域を表示した後、端末は、第１ビデオ表示領域で、ユーザが参照撮影したい参照ビデオコンテンツを再生し、第２ビデオ表示領域で、撮影された該ユーザのリアルタイムビデオコンテンツを録画して表示する。参照ビデオコンテンツの再生ツールは、システムのプレーヤーコンポーネント、サードパーティによって提供されるビデオプレーヤーコンポーネントなどを含むが、これらに限定されない。参照ビデオコンテンツを第１ビデオ表示領域に伝達して再生する伝達方式は、参照ビデオ識別子に従って、対応する参照ビデオコンテンツを端末に直接伝達して再生するような方式と、参照ビデオ識別子に従って、参照ビデオ識別子を端末に伝達し、端末が、この参照ビデオ識別子に従って、対応する参照ビデオコンテンツをサーバからダウンロードして再生するような方式とを含むが、これらに限定されない。
【００２４】
端末は、表示されているリアルタイムビデオコンテンツの録画の開始時に、参照ビデオコンテンツの再生を開始してもよい。これにより、ユーザは、ビデオの録画中に、第１ビデオ表示領域で再生されている参照ビデオコンテンツを参照して出演することができる。さらに、端末は、リアルタイムビデオコンテンツの録画を開始する前、且つ第１ビデオ表示領域を表示した後に、参照ビデオコンテンツの再生を開始してもよい。これにより、ユーザは、録画を開始する前に、参照ビデオコンテンツに慣れることができる。
【００２５】
またさらに、端末がリアルタイムビデオコンテンツの録画を開始する前、且つ第１ビデオ表示領域を表示した後に、参照ビデオコンテンツの再生を開示するような実施形態では、端末による参照ビデオコンテンツの再生回数は、所定数の回数であってもよく、所定数は、１、３などの任意の自然数であってもよい。好ましい一実施例では、参照ビデオコンテンツを無限ループ再生できるように、所定数は最大閾値である。これにより、ユーザは、録画を開始する前に、繰り返して参照ビデオコンテンツに慣れることができる。
【００２６】
Ｓ２０８で、録画したリアルタイムビデオコンテンツと、参照ビデオコンテンツとに基づいて、ターゲットビデオを生成する。
【００２７】
端末は、録画終了条件が満たされたと決定すると、録画したリアルタイムビデオコンテンツと、参照ビデオコンテンツとに基づいて、ターゲットビデオを生成する。具体的には、端末は、録画終了指示を受け付けたときに、録画終了条件が満たされたと決定してもよいし、録画開始指示を受け付けた後、且つ参照ビデオコンテンツの再生が完了したときに、録画終了条件が満たされたと決定してもよい。
【００２８】
上記ビデオ作成方法では、ビデオ再生インタフェースで参照ビデオコンテンツを再生しているときに、参照撮影指示を受信し、参照撮影指示には、参照ビデオ識別子が含まれ、端末スクリーンに第１ビデオ表示領域及び第２ビデオ表示領域を表示し、第１ビデオ表示領域が、参照ビデオ識別子に対応する参照ビデオコンテンツを表示するためのものであり、第２ビデオ表示領域が、端末撮像装置で収集されたリアルタイムビデオコンテンツを表示するためのものであり、第１ビデオ表示領域で参照ビデオコンテンツを再生するとともに、第２ビデオ表示領域で、表示されているリアルタイムビデオコンテンツを録画し、録画したリアルタイムビデオコンテンツと、前記参照ビデオコンテンツとに基づいて、ターゲットビデオを生成する。端末スクリーンに第１ビデオ表示領域及び第２ビデオ表示領域を表示し、第１ビデオ表示領域で参照ビデオコンテンツを再生し、第２ビデオ表示領域で、表示されているリアルタイムビデオコンテンツを録画するような方式によって、ユーザが、ビデオの録画中に、該参照ビデオコンテンツを参照して出演することができ、ユーザによる参照録画の難しさを低減させ、ユーザ粘着性を向上させることができる。
【００２９】
また、ユーザがビデオを視聴して初めて、該再生中のビデオコンテンツ（即ち、参照ビデオコンテンツ）を参照して撮影したいアイデアが生まれるのが一般的であるため、ビデオ再生インタフェースで参照ビデオコンテンツを再生しているときに、参照撮影指示を受け付けるような方式によって、ユーザの操作を便利にすることができ、さらにユーザ粘着性を向上させる。
【００３０】
さらに、図３に示すように、端末は、ビデオ再生インタフェースで参照ビデオコンテンツを再生しているときに、参照撮影指示を受け付けるステップは、下記のステップを含む。
【００３１】
Ｓ３０１で、ビデオ再生インタフェースで参照ビデオコンテンツを再生しているときに、参照撮影設定指示を受け付ける。参照撮影設定指示は、参照撮影開始点設定指示及び参照撮影終了点設定指示のうちの少なくとも１つを含む。ここで、参照撮影開始点設定指示には、参照撮影開始点情報が付されており、参照撮影終了点設定指示には、参照撮影終了点情報が付されている。
【００３２】
Ｓ３０２で、参照撮影設定指示に基づいて、参照撮影指示を生成する。参照撮影指示には、参照撮影開始点情報及び参照撮影終了点情報のうちの少なくとも１つがさらに含まれる。
【００３３】
参照撮影開始点情報は、参照撮影開始点の情報であり、参照撮影終了点情報は、参照撮影終了点の情報である。端末は、参照撮影開始点設定指示及び参照撮影終了点設定指示を受け付けると、参照撮影指示を直接生成してもよい。即ち、ユーザによる参照撮影開始点及び参照撮影終了点の設定が完了すると、端末スクリーンに第１ビデオ表示領域及び第２ビデオ表示領域を表示するステップに直接進む。
【００３４】
端末は、参照撮影指示を受け付けてから、参照撮影設定指示を受け付け、参照撮影開始点情報及び参照撮影終了点情報の少なくとも１つを参照撮影指示に追加してもよい。例えば、参照撮影指示を受け付けると、参照撮影開始点設定及び参照撮影終了点設定のインタフェースに入り、参照撮影開始点設定指示及び参照撮影終了点設定指示を受け付け、次に、参照撮影開始点設定指示に付されている参照撮影開始点情報、及び参照撮影終了点設定指示に付されている参照撮影終了点情報を参照撮影指示に追加することにより、最終的な参照撮影指示を生成する。
【００３５】
参照ビデオコンテンツを再生しているときに、ユーザは、ビデオ再生インタフェースの再生領域を長押しすることにより、機能メニューをポップアップさせ、参照撮影開始点を設定するための指示を選択し、長押し時の参照ビデオコンテンツの再生時点を参照撮影開始点としてもよいし、参照撮影終了点を設定するための指示を選択し、長押し時の参照ビデオコンテンツの再生時点を参照撮影終了点としてもよい。
【００３６】
いくつかの実施例では、ユーザは、再生開始点のみを設定し、デフォルトで参照ビデオコンテンツの終了点を再生終了点としてもよい。さらに、端末は、録画中に録画終了指示を受け付けるような方式によって、再生終了点を決定してもよい。いくつかの実施例では、ユーザは、再生終了点のみを設定し、デフォルトで参照ビデオコンテンツの開始点を再生開始点としてもよい。
【００３７】
本実施形態のビデオ作成方法によれば、ユーザは、参照ビデオコンテンツの再生開始点及び再生終了点を設定することで、第１ビデオ表示領域で再生される参照ビデオコンテンツをさらに制限することができる。これにより、ユーザが自分の興味のある部分を参照して参照出演を行うのが便利になり、ユーザ粘着性をさらに向上させることができる。
【００３８】
一実施例では、参照撮影指示には、音楽識別子がさらに含まれてもよい。
【００３９】
端末は、音楽挿入指示を受け付けるような方式によって、参照撮影指示に音楽識別子を追加してもよい。これにより、リアルタイムビデオコンテンツを録画しているときに、音楽識別子に対応する音楽を再生することができる。このようにして、ターゲットビデオの多様性を増やし、ユーザ粘着性をさらに向上させることができる。
【００４０】
さらに、参照撮影指示には、音楽オフセット情報及び音楽継続時間情報がさらに含まれてもよい。端末は、音楽挿入指示を受け付けるような方式によって、参照撮影指示に音楽オフセット情報及び音楽継続時間情報を追加してもよい。これにより、指定された位置（音楽オフセット情報に対応する位置）から、指定された継続時間範囲（音楽オフセット情報及び音楽継続時間情報により決められる）で、音楽を再生するように指示する。理解できるように、他の実施例、即ち、参照撮影指示に音楽オフセット情報及び音楽継続時間情報が含まれない実施例では、端末は、デフォルトで、音楽識別子に対応する音楽開始位置から再生を開始し、且つ音楽全体を再生する。
【００４１】
音楽のフォーマットは、ＭＰ３（フルネームがＭｏｖｉｎｇ  Ｐｉｃｔｕｒｅ  Ｅｘｐｅｒｔｓ  Ｇｒｏｕｐ  Ａｕｄｉｏ  Ｌａｙｅｒ  ３であるオーディオ圧縮技術）、ＡＡＣ（Ａｄｖａｎｃｅｄ  Ａｕｄｉｏ  Ｃｏｄｉｎｇ、和名：アドバンストオーディオコーディング）、ＭＰ４（フルネームがＭｏｖｉｎｇ  Ｐｉｃｔｕｒｅ  Ｅｘｐｅｒｔｓ  Ｇｒｏｕｐ  Ａｕｄｉｏ  Ｌａｙｅｒ  ４であるオーディオ圧縮技術）、ＭＯＶ（Ｍｏｖｉｅ  ｄｉｇｉｔａｌ  ｖｉｄｅｏ  ｔｅｃｈｎｏｌｏｇｙ、ムービーデジタルビデオ技術）などを含んでもよい。
【００４２】
その一実施例では、ビデオ再生インタフェースで参照ビデオコンテンツを再生しているときに、参照撮影指示を受け付けるステップは、ビデオ再生インタフェースで参照ビデオコンテンツを再生しているときに、ビデオ再生インタフェースで所定の操作を受け付けることにより、参照撮影指示を受け付ける。
【００４３】
所定の操作は、ユーザが端末のビデオ再生インタフェースで所定のアイコン又は所定の領域にタッチすることであってもよく、ユーザが端末のビデオ再生インタフェースで所定の曲線又は形状などを描くことであってもよい。
【００４４】
本実施形態のビデオ作成方法によれば、端末は、ビデオ再生インタフェースで所定の操作を受け付けるような方式によって、参照撮影指示を受け付けることで、ビデオ再生インタフェースで再生される参照ビデオコンテンツの参照ビデオ識別子とターゲットビデオとの参照関係をより直接的に確立することができ、ユーザの操作を便利にし、ユーザ粘着性をさらに向上させる。
【００４５】
その一実施例では、図４に示すように、第１ビデオ表示領域は、第２ビデオ表示領域の表示範囲内にあり、且つ第２ビデオ表示領域上に浮かぶ。即ち、第１ビデオ表示領域の面積が第２ビデオ表示領域の面積未満であり、且つ第１ビデオ表示領域が第２ビデオ表示領域上に浮かぶ。これにより、ユーザが、小さな表示領域で、再生されている参照ビデオコンテンツを視聴し、大きな表示領域でリアルタイムビデオコンテンツを録画するのが便利になる。そして、浮かぶ方式は、ユーザが、重要と思われる画面コンテンツを邪魔しないように、第１ビデオ表示領域の位置を移動するのを便利にし、ユーザによるリアルタイムビデオコンテンツの録画を便利にし、ユーザ粘着性をさらに向上させることができる。
【００４６】
さらに、第１ビデオ表示領域は、デフォルトで、第２ビデオ表示領域の左上、右上、左下、右下などに位置してもよい。第１ビデオ表示領域の位置は、さらにインタフェース調整指示によって調整してもよい。このように、ユーザによるビデオ録画をより便利にし、ユーザ粘着性をさらに向上させる。
【００４７】
理解できるように、他の実施例では、第１ビデオ表示領域及び第２ビデオ表示領域の位置情報を調整してもよい。例えば、位置情報は、第２ビデオ表示領域が、第１ビデオ表示領域の表示範囲内にあり、且つ第１ビデオ表示領域上に浮かぶことであってもよい。また、位置情報は、第１ビデオ表示領域及び第２ビデオ表示領域が、縦方向に並べて表示されるか又は横方向に並べて表示されるように、端末スクリーンに表示されることであってもよい。
【００４８】
その一実施例では、前記第１ビデオ表示領域と前記第２ビデオ表示領域との重なり面積が、所定の閾値以下である。この所定の閾値は、端末スクリーンの面積の１／１０、１／２０などの任意の正の実数であってもよく、０に近い値であってもよく、又は０であってもよい。このように、第１ビデオ表示領域と第２ビデオ表示領域との重なり面積を小さくし、第１ビデオ表示領域と第２ビデオ表示領域との間の相互影響を低減させ、ユーザによる参照ビデオコンテンツ又はリアルタイムビデオコンテンツの視聴を便利にする。好ましい一実施例では、所定の閾値は、０に近い値又は０である。このように、第１ビデオ表示領域と第２ビデオ表示領域との重なり面積は、０に近く又は０である。これにより、ユーザによる参照ビデオコンテンツ又はリアルタイムビデオコンテンツの視聴を便利にする。
【００４９】
図５に示すように、その一実施例では、ビデオ再生インタフェースで参照ビデオコンテンツを再生しているときに、参照撮影指示を受け付けるステップＳ５０２、端末スクリーンに第１ビデオ表示領域及び第２ビデオ表示領域を表示するステップＳ５０４の後に、該ビデオ作成方法は、
インタフェース調整指示を受け付け、インタフェース調整指示に従って、ビデオ表示領域の表示形態を調整するＳ５０５２をさらに含む。ビデオ表示領域は、第１ビデオ表示領域及び第２ビデオ表示領域のうちの少なくとも１つを含み、表示形態は、表示領域のサイズ及び表示領域の位置のうちの少なくとも１つを含む。
【００５０】
端末により受け付けられるインタフェース調整指示は、第１インタフェース調整指示及び第２インタフェース調整指示のうちの少なくとも１つを含み、ここで、第１インタフェース調整指示は、ユーザが表示形態を直接設定するための指示であり、第２インタフェース調整指示は、ユーザが表示形態を間接的に設定するための指示である。
【００５１】
第１インタフェース調整指示は、ユーザがビデオ表示領域を選択した後、ビデオ表示領域の表示形態を調整するための指示であってもよい。表示形態の調整は、表示領域の位置の調整、及び表示領域のサイズの調整を含む。
【００５２】
第１ビデオ表示領域を例にすると、表示領域の位置の調整は、ユーザが第１ビデオ表示領域を選択した後、第１ビデオ表示領域をドラッグして調整することであってもよい。ドラッグ方式は、追従的なドラッグであり、つまり、第１ビデオ表示領域の位置は、ドラッグ位置の変化に従ってリアルタイムで変化し、第１ビデオ表示領域の位置の変化回数が複数回である。これにより、第１ビデオ表示領域の位置が調整される。さらに、ドラッグ方式は、非追従的なドラッグであってもよく、つまり、第１ビデオ表示領域の位置は、ドラッグ前の初期位置からドラッグ後の最終位置にしか変化せず、第１ビデオ表示領域の位置の変化回数が２回である。第１ビデオ表示領域の位置を変化させる際に、ドラッグ後の最終位置とドラッグ前の初期位置との位置オフセットに応じて、第１ビデオ表示領域をその分オフセットさせるか、又は第１ビデオ表示領域の中心位置をドラッグ後の最終位置に移動させてもよい。また、非追従的なドラッグの場合、ユーザによる位置の調整確認を便利にするために、端末のインタフェースに第１ビデオ表示領域の「ドラッグする最終位置」を破線枠又は他の方式で表示してもよい。
【００５３】
表示領域のサイズの調整は、ユーザが第１ビデオ表示領域を選択した後、さらに第１ビデオ領域の１本又は２本の境界線を選択し、境界線をドラッグすることでインタフェース調整指示を出し、表示領域のサイズを調整することであってもよい。
【００５４】
第２インタフェース調整指示は、所定の動作により、ビデオ表示領域に対して所定の調整を行うためのものであってもよい。例えば、ユーザが第１ビデオ表示領域を選択してから所定時間内に第１ビデオ表示領域から離れると、第１ビデオ表示領域と第２ビデオ表示領域との表示形態を交換するように指示してもよい。
【００５５】
本実施形態のビデオ作成方法によれば、ユーザは、ビデオ表示領域の表示形態を調整することができる。これにより、ユーザによるビデオ録画をより便利にし、ユーザ粘着性をさらに向上させる。
【００５６】
引き続いて図５を参照されたい。その一実施例では、端末スクリーンに第１ビデオ表示領域及び第２ビデオ表示領域を表示するステップの後に、該ビデオ作成方法は、
参照ビデオコンテンツに追加リソースが含まれる場合、追加リソース及び追加リソースのリソース情報のうちの少なくとも１つを第２ビデオ表示領域に表示するＳ５０５１をさらに含む。追加リソースは、音楽、ウィジェット、特殊効果、及び話題のうちの少なくとも１つを含む。
【００５７】
追加リソースが表示可能なオブジェクト、例えば、ウィジェット、特殊効果、又は話題である場合、追加リソースを端末スクリーンの第２ビデオ表示領域に表示し、追加リソースが表示不可なオブジェクト、例えば音楽である場合、リソース情報を端末スクリーンの第２ビデオ表示領域に表示する。リソース情報は、追加リソースの名称であってもよい。
【００５８】
理解できるように、参照ビデオコンテンツには、少なくともビデオリソースが含まれ、追加リソースがさらに含まれてもよい。該ビデオリソースは、いかなる追加リソースも含まれない元のビデオコンテンツであり、追加リソースは、元のビデオコンテンツを修飾する要素であり、例えば、音楽、ウィジェット、特殊効果、又は話題などであってもよい。参照ビデオコンテンツの情報は、ｆｅｅｄ（データフォーマットの１つ）情報に記録されてもよい。ｆｅｅｄ情報には、ビデオリソースへのリンク、話題識別子、音楽識別子、ウィジェット識別子リストなどが含まれてもよい。ビデオリソースのフォーマットは、任意のビデオフォーマットであってもよく、Ｈ２６４（高性能ビデオエンコード・デコード技術の１つ）フォーマットを含むが、これに限定されない。
【００５９】
ここで、音楽は、このビデオリソースから独立したオーディオファイルであり、このオーディオファイルのフォーマットは、ＭＰ３、ＡＡＣ、ＭＰ４、ＭＯＶなどを含んでもよい。音楽に対応する追加リソース情報は、音楽の名称であってもよい。
【００６０】
ウィジェットは、仮想の装飾品であってもよく、例えば、ヘッドウェア、メガネ、ヘアスタイル、服装、バッグ、ブローチ、スカーフ、靴など、仮想のウェアラブル装飾品であってもよいし、太陽、月、木、ビーチなど、仮想の非ウェアラブル装飾品であってもよい。ウィジェットは、拡張現実（ＡＲ：Ａｕｇｍｅｎｔｅｄ  Ｒｅａｌｉｔｙ）ウィジェットであってもよい。例えば、リアルタイムビデオコンテンツに人物がいるか否か、並びに、顔の位置、及び頭部の回転角度をアルゴリズムで認識し、３Ｄシーンで非表示とされた仮想の頭モデル、及びそれに関連付けられている可視のウィジェットにおいて、顔データに対応する更新を行い、モデルビュー行列変換を実際の射影行列変換に対応させることにより、３Ｄシーンを２Ｄコンテンツに変換して、リアルタイムビデオコンテンツに描画してもよい。このように、ＡＲ効果を達成させる。説明すべきものとして、端末による顔の位置や頭部の回転角度の情報認識には、同期認識方式も非同期認識方式も利用可能である。
【００６１】
特殊効果は、ビデオの人物に対して美顔加工を行うことであってもよいし、ビデオの背景やシーンに対して特定の設定を行うこと、例えば、背景やシーンを所定のピクチャのコンテンツの形式に設定することなどであってもよい。話題は、ビデオコミュニティにおける該参照ビデオコンテンツの説明情報であってもよく、例えば、該参照ビデオコンテンツの主題名、キーワード、コアコンテンツなどであってもよい。
【００６２】
本実施形態のビデオ録画方法によれば、ユーザがビデオの参照撮影録画を行う際に、参照ビデオコンテンツにおける追加リソースと同様な追加リソースを自分で検索して追加する必要がなく、ユーザによる参照撮影録画の難しさを低減させ、ユーザ粘着性を向上させる。
【００６３】
その一実施例では、参照ビデオコンテンツに追加リソースが含まれる場合、追加リソース及び追加リソースのリソース情報のうちの少なくとも１つを第２ビデオ表示領域に表示するステップは、参照ビデオコンテンツに追加リソースが含まれ、且つ同じタイプの追加リソースを追加するための指示を受け付けた場合、同じタイプの追加リソースを追加するための指示におけるリソース識別子に従って、追加リソース及び追加リソースのリソース情報のうちの少なくとも１つを第２ビデオ表示領域に表示するステップを含んでもよい。該リソース識別子は、参照ビデオコンテンツにおける全ての追加リソースのリソース識別子を含む。このように、同じタイプの追加リソースを追加する旨の簡単な指示、例えば、ユーザによる所定ボタンへのタッチによって、参照ビデオコンテンツにおける追加リソースと同様な全ての追加リソースを追加する機能を実現することができる。これにより、ユーザが必要に応じて追加リソースの同じタイプ追加を行うことができ、ユーザ粘着性をさらに向上させる。
【００６４】
さらに、同じタイプの追加リソースを追加するための指示におけるリソース識別子は、参照ビデオコンテンツにおける所定の追加リソースのリソース識別子であってもよい。ユーザの選択に供するために、追加リソースにおける全てのリソースのリストを提供し、ユーザにより選択された追加リソースを所定の追加リソースとしてもよい。所定の追加リソースは、複数の所定の選択スキームであってもよい。所定の選択スキームは、特定のタイプの追加リソースであってもよく、例えば、追加リソースにおける全てのウィジェットを所定の追加リソースとして追加したり、追加リソースにおける全ての特殊効果を所定の追加リソースとして追加したりする。このように、ユーザは、一部の追加リソースについて同じタイプの追加リソースを追加することを自主的に選択することができる。これにより、ターゲットビデオの多様性を増やし、ユーザ粘着性をさらに向上させる。
【００６５】
図６に示すように、その一実施例では、参照ビデオコンテンツに追加リソースが含まれる場合、追加リソース及び追加リソースのリソース情報のうちの少なくとも１つを第２ビデオ表示領域に表示するステップは、
追加リソースに音楽が含まれる場合、音楽をロードするステップＳ６０２と、
追加リソースにウィジェットが含まれる場合、ウィジェットをロードするステップＳ６０４と、
追加リソースに話題が含まれる場合、話題をロードするステップＳ６０６と、 
ロード済みの追加リソース、及び追加リソースのリソース情報のうちの少なくとも１つを第２ビデオ表示領域に表示するステップＳ６０８と、を含む。
【００６６】
ロード済みの追加リソースは、ロードに成功した追加リソースを指す。本実施形態のビデオ作成方法によれば、端末は、ロード済みの追加リソース、及び追加リソースのリソース情報のうちの少なくとも１つを第２ビデオ表示領域に表示することができる。ロードに失敗した追加リソースについては、端末は、この追加リソースをスキップし、ロード済みの追加リソースに基づいて、ビデオを録画することができる。
【００６７】
さらに、端末スクリーンに第１ビデオ表示領域及び第２ビデオ表示領域を表示するステップの後に、該方法は、追加リソースに音楽が含まれない場合、参照ビデオコンテンツにおけるビデオリソースのオーディオをロードするステップと、ロード済みのオーディオのオーディオ情報を第２ビデオ表示領域に表示するステップと、をさらに含む。理解できるように、このさらなる実施例では、参照ビデオコンテンツには、ビデオリソース及び追加リソースが含まれ、ビデオリソースには、オーディオが含まれる。追加リソースに音楽が含まれない場合、第２ビデオ表示領域には、音楽に対応するリソース情報（例えば、音楽の名称）が表示されない。この場合、ビデオリソースにおけるオーディオのオーディオ情報が表示される。
【００６８】
理解できるように、追加リソースに音楽が含まれ、音楽をロードする実施例では、さらに、端末は、第２ビデオ表示領域で、表示されているリアルタイムビデオコンテンツを録画するときに、この音楽を追加してもよい。又は、追加リソースに音楽が含まれず、参照ビデオコンテンツにおけるビデオリソースのオーディオをロードする実施例では、さらに、端末は、第２ビデオ表示領域で、表示されているリアルタイムビデオコンテンツを録画するときに、このオーディオを追加してもよい。このようにして、ユーザは、ビデオを便利に録画することができ、それに対してアフレコをしなくてもよい。これにより、ユーザによるビデオ録画の難しさを低減させ、ユーザ粘着性をさらに向上させることができる。
【００６９】
理解できるように、他の実施例では、追加リソースに音楽が含まれる場合、端末は、第２ビデオ表示領域で、表示されているリアルタイムビデオコンテンツを録画するときに、この音楽を追加するとともに、ビデオリソースのオーディオを追加してもよい。このようにして、ターゲットビデオの音楽及びオーディオコンテンツは、全て参照ビデオコンテンツの状況と一致する。これにより、ユーザによるビデオ録画の難しさを低減させ、ユーザ粘着性をさらに向上させる。
【００７０】
その一実施例では、追加リソース及び追加リソースのリソース情報のうちの少なくとも１つを第２ビデオ表示領域に表示する前に、対応する追加リソースをダウンロードする。端末は、ハードウェアインタフェースを介して、追加リソースのダウンロードを実現してもよい。実現方式は、ｗｉｆｉ、ブルートゥース（登録商標）、セルラーなどの方式を含むが、これらに限定されない。追加リソースのダウンロードについて、再開可能なダウンロードをサポートするか又はサポートしないかを選択できる。ロード済みの追加リソースを追加する前に、対応する追加リソースをダウンロードすることにより、追加リソースのロードがローカルで実現でき、オンラインでロードする必要がなく、つまり、ネットワークの形でデータをダウンロードして、リアルタイムでダウンロードされたデータを端末のメモリにロードする必要がない。これにより、ビデオ録画の滑らかさを向上させ、ユーザ粘着性をさらに向上させることができる。
【００７１】
さらに、端末が、対応する追加リソースをダウンロードする前に、該方法は、追加リソースがダウンロードされているか否かを決定し、ダウンロードされていない場合、対応する追加リソースをダウンロードし、ダウンロードされている場合、対応する追加リソースをダウンロードする必要がないステップをさらに含んでもよい。ダウンロードされているとは、今回のビデオ作成プロセス中に該追加リソースがダウンロードされているか、該追加リソースがローカルで検索できることを意味する。これに応じて、ダウンロードされていないとは、今回のビデオ作成プロセス中に該追加リソースがダウンロードされていないか、該追加リソースがローカルで検索できないことを意味する。ここで、該追加リソースがローカルで検索できるか否かを判断することにより、該追加リソースがダウンロードされているか否かを決定することは、繰り返しダウンロードを回避し、ローカルリソースを節約し、ビデオの録画効率を向上させることができる。
【００７２】
さらに、端末は、追加リソースのダウンロード時に、ダウンロードの進捗状況を表示する。ダウンロードの進捗状況とは、追加リソースのダウンロードがどの程度完了しているのかの進捗状況であり、ダウンロードの進捗状況の表示形式は、プログレスバー及びパーセントのうちの少なくとも１つを含む。このように、ユーザが追加リソースのダウンロード状況を把握することを便利にする。ユーザが追加リソースのダウンロード状況を把握することをさらに便利にするために、端末は、追加リソースのダウンロード時に、ダウンロード段階を表示してもよい。ダウンロード段階とは、現在ダウンロードされている追加リソースを指し、例えば、ダウンロード段階は、音楽のダウンロード、話題のダウンロードやウィジェットのダウンロードなどであってもよい。
【００７３】
その一実施例では、第１ビデオ表示領域で参照ビデオコンテンツを再生するとともに、第２ビデオ表示領域で、表示されているリアルタイムビデオコンテンツを録画するステップの前に、該方法は、参照ビデオコンテンツのビデオリソースをダウンロードするステップをさらに含む。このようにして、参照ビデオコンテンツにおけるビデオリソースの滑らかな再生を確保し、ビデオ録画プロセスの滑らかさに影響することを回避し、ユーザ粘着性をさらに向上させる。
【００７４】
その一実施例では、図５に戻されたいが、第１ビデオ表示領域で参照ビデオコンテンツを再生するとともに、第２ビデオ表示領域で、表示されているリアルタイムビデオコンテンツを録画するステップＳ５０６の前に、該ビデオ作成方法は、
リソース追加指示を受け付け、リソース追加指示におけるリソース識別子に対応するリソースを第２ビデオ表示領域に追加するＳ５０５５をさらに含む。リソースは、音楽、ウィジェット、特殊効果、話題、及びビデオリソースのオーディオのうちの少なくとも１つを含む。
【００７５】
ここで、音楽、ウィジェット、特殊効果、話題、及びビデオリソースのオーディオは、参照ビデオコンテンツにおける音楽、ウィジェット、特殊効果、話題、及びビデオリソースのオーディオと形式が一致してもよい。
【００７６】
端末は、リソースリストを提供して、ユーザが該リソースリストにおけるリソースを選択するような方式によって、リソース追加指示を受け付けてもよい。該リソースリストは、音楽、ウィジェット、特殊効果、話題、及びビデオリソースのオーディオのうちの少なくとも１つを含んでもよい。
【００７７】
このようにして、参照ビデオコンテンツに音楽、ウィジェット、特殊効果、話題、及びビデオリソースのオーディオが含まれるか否かにかかわらず、ユーザは、必要に応じて、所望のリソースを自ら追加することができる。これにより、ビデオ録画の多様性を増やし、ユーザ粘着性をさらに向上させる。
【００７８】
図７に示すように、その一実施例では、第１ビデオ表示領域で参照ビデオコンテンツを再生するとともに、第２ビデオ表示領域で、表示されているリアルタイムビデオコンテンツを録画するステップは、下記のステップを含む。 
【００７９】
Ｓ７０２で、速度変更録画指示を受け付け、速度変更録画指示には、速度変更倍率が付されている。
【００８０】
Ｓ７０４で、速度変更倍率に基づいて、ビデオコンテンツの処理速度を決定する。ビデオコンテンツは、参照ビデオコンテンツ及びリアルタイムビデオコンテンツのうちの少なくとも１つを含み、処理速度は、参照ビデオコンテンツの再生速度、及びリアルタイムビデオコンテンツの録画速度のうちの少なくとも１つを含む。
【００８１】
Ｓ７０６で、対応するビデオコンテンツを処理速度で処理する。ビデオコンテンツの処理プロセスは、第２ビデオ表示領域で、表示されているリアルタイムビデオコンテンツを録画速度で録画すること、及び第１ビデオ表示領域で参照ビデオコンテンツを再生速度で再生することのうちの少なくとも１つを含む。
【００８２】
本実施例は、以下の３つの方式を含むが、これらに限定されない。
【００８３】
（１）端末は、速度変更倍率に基づいて、参照ビデオコンテンツの再生速度を決定する場合、第２ビデオ表示領域で、表示されているリアルタイムビデオコンテンツを録画するときに、第１ビデオ表示領域で参照ビデオコンテンツを再生速度で再生する。
【００８４】
（２）端末は、速度変更倍率に基づいて、リアルタイムビデオコンテンツの録画速度を決定する場合、第２ビデオ表示領域で、表示されているリアルタイムビデオコンテンツを録画速度で録画するときに、第１ビデオ表示領域で参照ビデオコンテンツを再生する。
【００８５】
（３）端末は、速度変更倍率に基づいて、参照ビデオコンテンツの再生速度、及びリアルタイムビデオコンテンツの録画速度を決定する場合、第２ビデオ表示領域で、表示されているリアルタイムビデオコンテンツを録画速度で録画するときに、第１ビデオ表示領域で参照ビデオコンテンツを再生速度で再生する。
【００８６】
端末が再生速度及び録画速度のうちの少なくとも１つを決定する方式は、速度変更倍率の逆数を再生速度として、速度変更倍率を録画速度とすることであってもよく、速度変更倍率を再生速度として、速度変更倍率の逆数を録画速度とすることであってもよい。また、速度変更倍率を基に他の変形を加えることにより、例えば、係数と乗算することにより、再生速度及び録画速度のうちの少なくとも１つを取得してもよい。
【００８７】
速度変更倍率は、０．４倍、０．５倍、１倍、２倍、２．５倍などを含むが、これらに限定されない。速度変更倍率が２倍である場合の上記方式（１）を例にして説明する。ユーザが２倍速録画を選択すると、端末により受け付けられた速度変更録画指示に付されている速度変更倍率が２倍であり、速度変更倍率に基づいて、参照ビデオコンテンツの再生速度が１／２＝０．５倍であると決定する。該実施例では、実際の録画速度について、依然として通常の速度で録画し、第２ビデオ表示領域で、表示されているリアルタイムビデオコンテンツを録画するときに、第１ビデオ表示領域で参照ビデオコンテンツを再生速度（即ち、０．５倍の速度）で再生する。録画したリアルタイムビデオコンテンツと、前記参照ビデオコンテンツとに基づいて、ターゲットビデオを生成する際に、速度変更倍率（即ち、２倍速）で合成することにより、ターゲットビデオを生成する。このとき、録画ビデオの速度は２倍になり、対応するオーディオは通常の速度に戻る。
【００８８】
その一実施例では、参照ビデオ識別子の数は２以上である。本実施例は、以下の２つの方式を含む。
【００８９】
（１）この２つ以上の参照ビデオ識別子のそれぞれに対応する参照ビデオコンテンツは、所定の順番に従って第１ビデオ表示領域で再生されてもよく、該所定の順番は、ユーザにより設定された再生順番であってもよい。
【００９０】
第１ビデオ表示領域で参照ビデオコンテンツを再生するとともに、第２ビデオ表示領域で、表示されているリアルタイムビデオコンテンツを録画するステップは、端末が、第２ビデオ表示領域で、表示されているリアルタイムビデオコンテンツを録画しているときに、第１ビデオ表示領域で、所定の順番に従って、各参照ビデオ識別子に対応する参照ビデオコンテンツを再生するステップであって、参照ビデオ識別子のそれぞれに対応する参照ビデオコンテンツが、ターゲットビデオにおける１つのターゲットクリップに対応するものである、ステップ、を含む。
【００９１】
このようにして、ユーザは、段階的に、異なる参照ビデオコンテンツに対して参照出演を行って、ターゲットビデオを録画することができる。これにより、録画ビデオの多様性を増やし、ユーザ粘着性をさらに向上させることができる。
【００９２】
（２）この２つ以上の参照ビデオ識別子のそれぞれに対応する参照ビデオコンテンツは、２つ以上の第１ビデオ表示領域でそれぞれ再生されてもよい。即ち、端末スクリーンの第１ビデオ表示領域の数は、参照ビデオ識別子の数と同じであり、第１ビデオ表示領域のそれぞれは、それに対応する１つの参照ビデオ識別子の参照ビデオコンテンツを再生する。これにより、ユーザは、２つ以上の参照ビデオコンテンツを同時に参照するような方式で出演を行って、ターゲットビデオを録画することができる。これにより、録画ビデオの多様性を増やし、ユーザ粘着性をさらに向上させることができる。
【００９３】
さらに、図８に示すように、第２ビデオ表示領域で、表示されているリアルタイムビデオコンテンツを録画しているときに、第１ビデオ表示領域で、所定の順番に従って、各参照ビデオ識別子に対応する参照ビデオコンテンツを再生するステップは、 
第２ビデオ表示領域で、表示されているターゲットクリップのリアルタイムビデオコンテンツを録画しているときに、第１ビデオ表示領域で、ターゲットクリップに対応する参照ビデオ識別子に対応する参照ビデオコンテンツを再生するＳ８０２と、
ターゲットクリップに対応する参照ビデオ識別子に対応する参照ビデオコンテンツに基づいて、ターゲットクリップに対して時間差調整を行うＳ８０４と、を含む。
【００９４】
時間差調整は、ターゲットクリップにおける重要な時点と、参照ビデオコンテンツにおける重要な時点との間の時間差に対して対応的調整を行うことであってもよい。重要な時点は、均一に設定された時点であってもよく、コンテンツの重要性に応じて設定された時点であってもよい。このようにして、端末は、ターゲットクリップごとに時間差調整を行うことにより、各ターゲットクリップの時間差がますます大きくなることを回避し、ユーザ粘着性をさらに向上させることができる。
【００９５】
さらに、第２ビデオ表示領域で、表示されているリアルタイムビデオコンテンツを録画しているときに、第１ビデオ表示領域で、所定の順番に従って、各参照ビデオ識別子に対応する参照ビデオコンテンツを再生するステップは、
ターゲットビデオの合計時間と参照ビデオコンテンツの再生進捗状況との偏差が所定の閾値よりも大きい場合、参照ビデオコンテンツの再生速度を調整するＳ８０６をさらに含んでもよい。このようにして、偏差は、許容可能な範囲に達し、即ち、所定の閾値以下となる。参照ビデオコンテンツの再生進捗状況は、参照ビデオコンテンツのビデオリソースの再生進捗状況と、参照ビデオコンテンツの追加リソースの音楽の再生進捗状況と、を含む。
【００９６】
その一実施例では、図５に戻されたいが、録画したリアルタイムビデオコンテンツと、前記参照ビデオコンテンツとに基づいて、ターゲットビデオを生成するステップは、
所定のビデオ合成ストラテジーに従って、録画したリアルタイムビデオコンテンツの映像と、所定のオーディオとを合成することにより、ターゲットビデオを生成するＳ５０８を含む。
【００９７】
端末は、リアルタイムビデオコンテンツを録画しているときに、又はリアルタイムビデオコンテンツを録画した後に、所定のビデオ合成ストラテジーに従って、録画したリアルタイムビデオコンテンツの映像と、所定のオーディオとを合成することにより、ターゲットビデオを生成してもよい。
【００９８】
所定のビデオ合成ストラテジーは、ユーザにより設定されたビデオ合成ストラテジー、又はデフォルトのビデオ合成ストラテジーであってもよい。所定のビデオ合成ストラテジーは、（１）リアルタイムビデオコンテンツの映像と、リアルタイムビデオコンテンツのオーディオとを合成すること、（２）リアルタイムビデオコンテンツの映像と、参照ビデオコンテンツのオーディオとを合成すること、（３）リアルタイムビデオコンテンツの映像と、参照ビデオコンテンツのビデオリソースのオーディオとを合成すること、（４）リアルタイムビデオコンテンツの映像と、参照ビデオコンテンツの音楽とを合成すること、の４種類のビデオ合成ストラテジーを含んでもよい。理解できるように、参照ビデオコンテンツのオーディオは、参照ビデオコンテンツのビデオリソースのオーディオと、参照ビデオコンテンツの追加リソースにおける音楽とを含む。ここで、リアルタイムビデオコンテンツの映像と、リアルタイムビデオコンテンツのオーディオとを合成するような方式では、オーディオ収集装置によって、参照ビデオコンテンツの音声を収集してターゲットビデオのオーディオとしてもよいし、直接に参照ビデオコンテンツのビデオリソースのオーディオをターゲットビデオのオーディオとしてもよい。
【００９９】
このようにして、端末は、所定のビデオ合成ストラテジーに従って、リアルタイムビデオコンテンツの映像と、所定のオーディオとを合成することができる。特にユーザにより設定される実施形態では、ユーザは、必要に応じて、ターゲットビデオにおけるオーディオと映像との合成コンテンツを選択的に設定することが可能になる。これにより、ユーザ粘着性をさらに向上させることができる。
【０１００】
その一実施例では、ボリューム設定指示を受け付けるような方式によって、リアルタイムビデオコンテンツのオーディオのボリューム及び音楽のボリュームのうちの少なくとも１つ（例えば、音楽のボリューム）を調整することにより、オーディオのボリュームを上げてもよい。このようにして、ユーザは、ターゲットビデオにおける音楽及びオーディオのボリュームのうちの少なくとも１つをカスタマイズすることができる。これにより、ターゲットビデオの多様性を増やし、ユーザ粘着性をさらに向上させる。
【０１０１】
引き続いて図５を参照されたい。その一実施例では、録画したリアルタイムビデオコンテンツと、前記参照ビデオコンテンツとに基づいて、ターゲットビデオを生成するステップの後に、該ビデオ作成方法は、
ビデオ編集指示を受け付け、ビデオ編集指示に従って、ターゲットビデオを編集するＳ５０９をさらに含む。
【０１０２】
ビデオ編集指示は、ビデオを編集するための指示である。編集は、特殊効果、落書き、ステッカー、音楽、フィルタなどの機能を含んでもよい。本実施形態のビデオ作成方式によれば、ユーザは、編集機能によって、ターゲットビデオをさらに編集し、ユーザの所望の效果を達成できることが可能になる。これにより、ユーザ粘着性をさらに向上させる。
【０１０３】
引き続いて図５を参照されたい。その一実施例では、録画したリアルタイムビデオコンテンツと、前記参照ビデオコンテンツとに基づいて、ターゲットビデオを生成するステップの後に、該ビデオ作成方法は、
ビデオ投稿指示を受け付け、ビデオ投稿指示に従って、ターゲットビデオを投稿するＳ５１０をさらに含む。
【０１０４】
ビデオ投稿指示は、ターゲットビデオを所定のプラットフォーム（例えば、ビデオコミュニティ）へ投稿するように指示する指示であってもよい。ターゲットビデオを投稿した後に、該ターゲットビデオは、他の端末によって再生されることもでき、他のユーザによる参照出演のために、参照ビデオコンテンツとされることもできる。これにより、好循環を形成して、より多くの通常のユーザの創作への参加を持続的に促進する。ユーザは、自分の関係チェーンによって該ターゲットビデオを広め、周りのより多くの人々が一緒にビデオを作成するように促進することができる。これにより、ユーザ粘着性をさらに向上させる。
【０１０５】
以下、具体的な一適用例におけるビデオ作成プロセスを説明する。図９は、ユーザが、端末によって、ビデオの視聴、ビデオの作成、ビデオの投稿を行う模式的フローチャートであり、図１０は、ユーザ端末のビデオ再生インタフェース図である。ユーザは、ビデオコミュニティでビデオを視聴しているときに、図１０に示すビデオ再生インタフェースの「参照撮影アイコン」をタップすることにより、撮影を呼び出すことができる。つまり、ビデオ再生インタフェースで参照ビデオコンテンツを再生しているときに、端末は、ビデオ再生インタフェースで「参照撮影」ボタンがタップされたことを受け付けるような方式によって、参照撮影指示を受け付け、端末スクリーンの参照撮影インタフェースに第１ビデオ表示領域及び第２ビデオ表示領域を表示する。第１ビデオ表示領域は、第２ビデオ表示領域の表示範囲内にあり、且つ第２ビデオ表示領域上に浮かぶ。端末は、参照ビデオコンテンツのビデオリソース（即ち、撮影参照ビデオ）をロードする。参照ビデオコンテンツの追加リソースに音楽が含まれる場合、端末は該音楽をロードし、参照ビデオコンテンツの追加リソースに音楽が含まれない場合、端末はビデオリソースのオーディオをロードする。参照ビデオコンテンツの追加リソースにＡＲウィジェットが含まれる場合、端末は該ＡＲウィジェットをロードし、参照ビデオコンテンツの追加リソースにＡＲウィジェットが含まれない場合、端末は該ＡＲウィジェットをロードしない。参照ビデオコンテンツの追加リソースに話題が含まれる場合、端末は該話題をロードし、参照ビデオコンテンツの追加リソースに話題が含まれない場合、端末は該話題をロードしない。端末は、ロード済みの追加リソース、及び追加リソースのリソース情報のうちの少なくとも１つを第２ビデオ表示領域に表示する。端末は、インタフェース調整指示を受け付け、インタフェース調整指示に従って、第１ビデオ表示領域の表示形態を調整する（即ち、小窓を調整する）。次に、ユーザは、参照ビデオコンテンツを真似して出演し、端末は、第１ビデオ表示領域で参照ビデオコンテンツを再生するとともに、第２ビデオ表示領域で、表示されているリアルタイムビデオコンテンツを録画する（即ち、撮影参照ビデオの使用素材を真似して撮影する）。端末は、ビデオ編集指示を受け付け、ビデオ編集指示に従って、ターゲットビデオを編集する。端末は、ビデオ投稿指示を受け付け、ビデオ投稿指示に従って、ターゲットビデオを投稿する。該ターゲットビデオは、新しい参照ビデオコンテンツとして（ｆｅｅｄ情報を生成するような形式によってもよい）、他のユーザによって視聴されて、新しいターゲットビデオの作成のために参照されることができる。
【０１０６】
理解すべきものとして、図２〜図３及び図５〜図９のフローチャートにおける各ステップは、矢印の指示に従って順次示されているが、これらステップは、必ずしも矢印に示す順序に従って順次実行されるとは限らない。本明細書で明確に説明されない限り、これらのステップの実行順序には、厳しい制限がない。これらのステップは、他の順序で実行されてもよい。また、図２〜図３及び図５〜図９の少なくとも一部のステップは、複数のサブステップ又は複数のステージを含んでもよい。これらのサブステップ又はステージは、必ずしも同一の時刻に実行完了するとは限らず、異なる時刻に実行されてもよい。これらのサブステップ又はステージの実行順序についても、必ずしも順次実行するとは限らず、他のステップ、或いは、他のステップのサブステップ又はステージの少なくとも一部と代わる代わる又は交代で実行されてもよい。
【０１０７】
一実施例では、図１１に示すように、
ビデオ再生インタフェースで前記参照ビデオコンテンツを再生しているときに、参照撮影指示を受け付け、前記参照撮影指示には、参照ビデオ識別子が含まれる参照撮影指示受付モジュール１１０２と、
端末スクリーンに第１ビデオ表示領域及び第２ビデオ表示領域を表示し、前記第１ビデオ表示領域が、前記参照ビデオ識別子に対応する参照ビデオコンテンツを表示するためのものであり、前記第２ビデオ表示領域が、端末撮像装置で収集されたリアルタイムビデオコンテンツを表示するためのものであるビデオ領域表示モジュール１１０４と、
前記第１ビデオ表示領域で前記参照ビデオコンテンツを再生するとともに、前記第２ビデオ表示領域で、表示されている前記リアルタイムビデオコンテンツを録画するビデオ再生録画モジュール１１０６と、
録画された前記リアルタイムビデオコンテンツと、前記参照ビデオコンテンツとに基づいて、ターゲットビデオを生成するターゲットビデオ生成モジュール１１０８と、を備えるビデオ作成装置が提供されている。
【０１０８】
上記ビデオ作成装置は、ビデオ再生インタフェースで前記参照ビデオコンテンツを再生しているときに、参照撮影指示を受信し、参照撮影指示には、参照ビデオ識別子が含まれ、端末スクリーンに第１ビデオ表示領域及び第２ビデオ表示領域を表示し、第１ビデオ表示領域が、参照ビデオ識別子に対応する参照ビデオコンテンツを表示するためのものであり、第２ビデオ表示領域が、端末撮像装置で収集されたリアルタイムビデオコンテンツを表示するためのものであり、第１ビデオ表示領域で参照ビデオコンテンツを再生するとともに、第２ビデオ表示領域で、表示されているリアルタイムビデオコンテンツを録画し、録画したリアルタイムビデオコンテンツと、前記参照ビデオコンテンツとに基づいて、ターゲットビデオを生成する。端末スクリーンに第１ビデオ表示領域及び第２ビデオ表示領域を表示し、第１ビデオ表示領域で参照ビデオコンテンツを再生し、第２ビデオ表示領域で、表示されているリアルタイムビデオコンテンツを録画するような方式によって、ユーザが、ビデオの録画中に、該参照ビデオコンテンツを参照して出演することができ、ユーザによる参照録画の難しさを低減させ、ユーザ粘着性を向上させることができる。
【０１０９】
その一実施例では、前記参照撮影指示受付モジュールは、ビデオ再生インタフェースで前記参照ビデオコンテンツを再生しているときに、前記参照撮影指示を受け付ける。
【０１１０】
その一実施例では、前記参照撮影指示受付モジュールは、前記ビデオ再生インタフェースで前記参照ビデオコンテンツを再生しているときに、参照撮影開始点設定指示を受け付け、前記参照撮影開始点設定指示には、参照撮影開始点情報が付されている指示設定ユニットと、前記参照撮影開始点設定指示に基づいて、前記参照撮影指示を生成し、前記参照撮影指示には、前記参照撮影開始点情報がさらに含まれる指示生成ユニットと、を備える。
【０１１１】
その一実施例では、前記参照撮影指示受付モジュールは、前記ビデオ再生インタフェースで前記参照ビデオコンテンツを再生しているときに、参照撮影終了点設定指示を受け付け、前記参照撮影終了点設定指示には、参照撮影終了点情報が付されている指示設定ユニットと、前記参照撮影終了点設定指示に基づいて、前記参照撮影指示を生成し、前記参照撮影指示には、前記参照撮影終了点情報がさらに含まれる指示生成ユニットと、を備える。
【０１１２】
その一実施例では、前記参照撮影指示受付モジュールは、前記ビデオ再生インタフェースで前記参照ビデオコンテンツを再生しているときに、前記ビデオ再生インタフェースで所定の操作を受け付けることにより、前記参照撮影指示を受け付ける。
【０１１３】
その一実施例では、前記第１ビデオ表示領域は、前記第２ビデオ表示領域の表示範囲内にあり、且つ前記第２ビデオ表示領域上に浮かぶ。
【０１１４】
その一実施例では、前記第１ビデオ表示領域と前記第２ビデオ表示領域との重なり面積は所定の閾値以下であり、前記所定の閾値は非負の数である。
【０１１５】
その一実施例では、前記装置は、インタフェース調整指示を受け付け、前記インタフェース調整指示に従って、前記第１ビデオ表示領域の表示形態を調整し、前記表示形態が、第１ビデオ表示領域のサイズを含むインタフェース指示受付モジュールをさらに備える。
【０１１６】
その一実施例では、前記装置は、インタフェース調整指示を受け付け、前記インタフェース調整指示に従って、前記第１ビデオ表示領域の表示形態を調整し、前記表示形態が、第１ビデオ表示領域の位置を含むインタフェース指示受付モジュールをさらに備える。
【０１１７】
その一実施例では、前記装置は、インタフェース調整指示を受け付け、前記インタフェース調整指示に従って、前記第２ビデオ表示領域の表示形態を調整し、前記表示形態が、第２ビデオ表示領域のサイズを含むインタフェース指示受付モジュールをさらに備える。
【０１１８】
その一実施例では、前記装置は、インタフェース調整指示を受け付け、前記インタフェース調整指示に従って、前記第２ビデオ表示領域の表示形態を調整し、前記表示形態が、第２ビデオ表示領域の位置を含むインタフェース指示受付モジュールをさらに備える。
【０１１９】
その一実施例では、前記装置は、前記参照ビデオコンテンツに追加リソースが含まれる場合、前記追加リソースを前記第２ビデオ表示領域に表示し、前記追加リソースには、音楽、ウィジェット、特殊効果、及び話題のうちの少なくとも１つが含まれる追加リソース表示モジュールをさらに備える。
【０１２０】
その一実施例では、前記装置は、前記参照ビデオコンテンツに追加リソースが含まれる場合、前記追加リソースのリソース情報を前記第２ビデオ表示領域に表示し、前記追加リソースには、音楽、ウィジェット、特殊効果、及び話題のうちの少なくとも１つが含まれる追加リソース表示モジュールをさらに備える。
【０１２１】
その一実施例では、前記追加リソース表示モジュールは、前記追加リソースに前記音楽が含まれる場合、前記音楽をロードする音楽ロードユニットと、前記追加リソースに前記ウィジェットが含まれる場合、前記ウィジェットをロードするウィジェットロードユニットと、前記追加リソースに前記話題が含まれる場合、前記話題をロードする話題ロードユニットと、ロード済みの前記追加リソースを前記第２ビデオ表示領域に表示するリソース表示ユニットと、を備える。
【０１２２】
その一実施例では、前記追加リソース表示モジュールは、前記追加リソースに前記音楽が含まれる場合、前記音楽をロードする音楽ロードユニットと、前記追加リソースに前記ウィジェットが含まれる場合、前記ウィジェットをロードするウィジェットロードユニットと、前記追加リソースに前記話題が含まれる場合、前記話題をロードする話題ロードユニットと、ロード済みの前記追加リソースのリソース情報を前記第２ビデオ表示領域に表示するリソース表示ユニットと、を備える。
【０１２３】
その一実施例では、前記参照ビデオコンテンツには、ビデオリソース及び前記追加リソースが含まれ、装置は、前記追加リソースに前記音楽が含まれない場合、前記参照ビデオコンテンツにおける前記ビデオリソースのオーディオをロードするリソースオーディオロードモジュールと、ロード済みの前記オーディオのオーディオ情報を前記第２ビデオ表示領域に表示するオーディオ情報表示モジュールと、をさらに備える。
【０１２４】
その一実施例では、前記装置は、前記追加リソース表示モジュールが前記追加リソースを前記第２ビデオ表示領域に表示する前に、対応する前記追加リソースをダウンロードする追加リソースダウンロードモジュールをさらに備える。
【０１２５】
その一実施例では、前記装置は、前記追加リソース表示モジュールが前記追加リソースのリソース情報を前記第２ビデオ表示領域に表示する前に、対応する前記追加リソースをダウンロードする追加リソースダウンロードモジュールをさらに備える。
【０１２６】
その一実施例では、前記追加リソース表示モジュールは、さらに、前記参照ビデオコンテンツに追加リソースが含まれ、且つ同じタイプの追加リソースを追加するための指示を受け付けた場合、前記同じタイプの追加リソースを追加するための指示におけるリソース識別子に従って、前記追加リソースを前記第２ビデオ表示領域に表示する。
【０１２７】
その一実施例では、前記追加リソース表示モジュールは、さらに、前記参照ビデオコンテンツに追加リソースが含まれ、且つ同じタイプの追加リソースを追加するための指示を受け付けた場合、前記同じタイプの追加リソースを追加するための指示におけるリソース識別子に従って、前記リソース情報を前記第２ビデオ表示領域に表示する。
【０１２８】
その一実施例では、前記同じタイプの追加リソースを追加するための指示における前記リソース識別子は、前記参照ビデオコンテンツにおける所定の前記追加リソースの前記リソース識別子を含む。
【０１２９】
その一実施例では、前記装置は、リソース追加指示を受け付け、前記リソース追加指示におけるリソース識別子に対応するリソースを前記第２ビデオ表示領域に追加し、前記リソースには、音楽、ウィジェット、特殊効果、話題、及びビデオリソースのオーディオのうちの少なくとも１つが含まれるリソース追加モジュールをさらに備える。
【０１３０】
その一実施例では、前記ビデオ再生録画モジュールは、速度変更録画指示を受け付け、前記速度変更録画指示には、速度変更倍率が付されている速度変更指示受付ユニットと、前記速度変更倍率に基づいて、前記参照ビデオコンテンツの再生速度を決定する速度決定ユニットと、前記第１ビデオ表示領域で、前記参照ビデオコンテンツを前記再生速度で再生するビデオ再生ユニットと、を備える。
【０１３１】
その一実施例では、前記ビデオ再生録画モジュールは、速度変更録画指示を受け付け、前記速度変更録画指示には、速度変更倍率が付されている速度変更指示受付ユニットと、前記速度変更倍率に基づいて、前記リアルタイムビデオコンテンツの録画速度を決定する速度決定ユニットと、前記第２ビデオ表示領域で、表示されている前記リアルタイムビデオコンテンツを前記録画速度で録画するビデオ録画ユニットと、を備える。
【０１３２】
その一実施例では、前記参照ビデオ識別子の数は２以上である。
【０１３３】
その一実施例では、前記ビデオ再生録画モジュールは、前記第２ビデオ表示領域で、表示されている前記リアルタイムビデオコンテンツを録画しているときに、前記第１ビデオ表示領域で、所定の順番に従って、各前記参照ビデオ識別子に対応する前記参照ビデオコンテンツを再生し、前記参照ビデオ識別子のそれぞれに対応する前記参照ビデオコンテンツが、前記ターゲットビデオにおける１つのターゲットクリップに対応するものである。
【０１３４】
その一実施例では、前記ビデオ再生録画モジュールは、前記第２ビデオ表示領域で、表示されている前記ターゲットクリップの前記リアルタイムビデオコンテンツを録画しているときに、前記第１ビデオ表示領域で、前記ターゲットクリップに対応する前記参照ビデオ識別子に対応する前記参照ビデオコンテンツを再生するターゲットクリップ録画ユニットと、前記ターゲットクリップに対応する前記参照ビデオ識別子に対応する前記参照ビデオコンテンツに基づいて、前記ターゲットクリップに対して時間差調整を行うターゲットクリップ調整ユニットと、を備える。
【０１３５】
その一実施例では、前記ターゲットビデオ生成モジュールは、所定のビデオ合成ストラテジーに従って、録画された前記リアルタイムビデオコンテンツの映像と、所定のオーディオとを合成することにより、ターゲットビデオを生成する。
【０１３６】
その一実施例では、前記装置は、ビデオ編集指示を受け付け、前記ビデオ編集指示に従って、前記ターゲットビデオを編集するビデオ編集モジュールをさらに備える。
【０１３７】
その一実施例では、前記装置は、ビデオ投稿指示を受け付け、前記ビデオ投稿指示に従って、前記ターゲットビデオを投稿するビデオ投稿モジュールをさらに備える。
【０１３８】
ビデオ作成装置の具体的な限定については、上記のビデオ作成方法の限定を参照すればよく、ここでは説明を省略する。上記ビデオ作成装置の各モジュールは、全部又は部分的に、ソフトウェア、ハードウェア、及びそれらの組み合わせによって実現されてもよい。上記の各モジュールは、プロセッサが上記の各モジュールに対応する処理を呼び出して実行できるように、ハードウェアの形で、コンピュータ機器のプロセッサに埋め込まれるか、コンピュータ機器のプロセッサから独立してもよいし、ソフトウェアの形で、コンピュータ機器のメモリに記憶されてもよい。
【０１３９】
一実施例では、コンピュータ機器が提供されており、このコンピュータ機器は、端末であってもよく、その内部構成図が図１２に示されるものであってもよい。このコンピュータ機器は、システムバスを介して接続されたプロセッサ、メモリ、ネットワークインタフェースを含む。ここで、このコンピュータ機器のプロセッサは、計算機能及び制御機能を提供するものである。このコンピュータ機器のメモリは、不揮発性記憶媒体、内部メモリを含む。この不揮発性記憶媒体は、オペレーティングシステム、コンピュータプログラムを記憶している。この内部メモリは、不揮発性記憶媒体におけるオペレーティングシステム及びコンピュータプログラムの実行のための環境を提供する。このコンピュータ機器のネットワークインタフェースは、ネットワーク接続を介して外部サーバと通信することに用いられる。このコンピュータプログラムは、プロセッサによって実行されると、ビデオ作成方法を実現させる。
【０１４０】
当業者であれば理解できるように、図１２に示される構成は、本願の構成に関連する構成の一部のブロック図にすぎず、本願の構成が適用されるコンピュータ機器を限定するものではない。具体的なコンピュータ機器は、図示よりも多く又は少ない構成要素を含んでもよく、或いはいくらかの構成要素を組み合わせたものであってもよく、或いは構成要素の異なる配置を有してもよい。
【０１４１】
一実施例では、メモリとプロセッサとを備えるコンピュータ機器が提供されており、メモリには、コンピュータプログラムが記憶され、該プロセッサは、コンピュータプログラムを実行すると、上記のいずれか１つの実施例におけるビデオ作成方法のステップを実現する。
【０１４２】
一実施例では、コンピュータプログラムを記憶したコンピュータ可読記憶媒体が提供されており、コンピュータプログラムは、プロセッサにより実行されると、上記のいずれか１つの実施例におけるビデオ作成方法のステップを実現させる。
【０１４３】
当業者であれば理解できるように、上記実施例の方法の手順の全部又は一部は、コンピュータプログラムによって関連ハードウェアに指示することにより実現されてもよい。前記コンピュータプログラムは、不揮発性コンピュータ可読記憶媒体に記憶されてもよい。このコンピュータプログラムが実行されると、上記のような各方法の実施例の手順が実行される。ここで、本願で提供された各実施例に使用されたメモリ、ストレージ、データベース、又は他の媒体へのいかなる参照でも、不揮発性及び／又は揮発性メモリを含んでもよい。不揮発性メモリは、読み出し専用メモリ（ＲＯＭ）、プログラマブルＲＯＭ（ＰＲＯＭ）、電気的プログラマブルＲＯＭ（ＥＰＲＯＭ）、電気的消去可能プログラマブルＲＯＭ（ＥＥＰＲＯＭ）、又はフラッシュメモリを含んでもよい。揮発性メモリは、ランダムアクセスメモリ（ＲＡＭ）、又は外部キャッシュを含んでもよい。限定ではなく説明として、ＲＡＭは、例えば、スタティックＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲＳＤＲＡＭ）、エンハンスドＳＤＲＡＭ（ＥＳＤＲＡＭ）、シンクリンク（Ｓｙｎｃｈｌｉｎｋ）ＤＲＡＭ（ＳＬＤＲＡＭ）、ダイレクト・ラムバス（Ｒａｍｂｕｓ）ＲＡＭ（ＲＤＲＡＭ）、ダイレクト・ラムバス・ダイナミックＲＡＭ（ＤＲＤＲＡＭ）、及びラムバス・ダイナミックＲＡＭ（ＲＤＲＡＭ）などの多くの形態で利用可能である。
【０１４４】
上述した実施例の各構成要件は、任意に組み合わせされてもよい。説明を簡潔にするために、上記実施例の各構成要件の可能な組み合わせがすべて説明されているわけではない。しかしながら、これらの構成要件の組み合わせは、矛盾がない限り、本明細書に記載された範囲内にあると考えられるべきである。
【０１４５】
上述した実施例は、本願のいくつかの実施形態を示したものにすぎず、説明が具体的で詳しいが、これによって本願の特許範囲への制限と理解されるわけにはいかない。指摘すべきものとして、当業者にとっては、本願の構想を逸脱しない前提で、若干の変形及び改良が可能である。これらの変形及び改良は、いずれも本願の保護範囲に属する。それゆえ、本願の特許保護範囲は、添付の特許請求の範囲に従うべきである。
【符号の説明】
【０１４６】
１０２  端末
１０４  サーバ
１１０２  参照撮影指示受付モジュール
１１０４  ビデオ領域表示モジュール
１１０６  ビデオ再生録画モジュール
１１０８  ターゲットビデオ生成モジュール
【図１】
2021520146.tif 000003
【図２】
2021520146.tif 000004
【図３】
2021520146.tif 000005
【図４】
2021520146.tif 000006
【図５】
2021520146.tif 000007
【図６】
2021520146.tif 000008
【図７】
2021520146.tif 000009
【図８】
2021520146.tif 000010
【図９】
2021520146.tif 000011
【図１０】
2021520146.tif 000012
【図１１】
2021520146.tif 000013
【図１２】
2021520146.tif 000014
【手続補正書】
【提出日】令和2年10月15日(2020.10.15)
【手続補正２】
【補正対象書類名】特許請求の範囲
【補正対象項目名】全文
【補正方法】変更
【補正の内容】
【特許請求の範囲】
【請求項１】
端末機器が実行するビデオ作成方法であって、
ビデオ再生インタフェースで参照ビデオコンテンツを再生しているときに、参照撮影指示を受け付けるステップであって、前記参照撮影指示には、参照ビデオ識別子が含まれる、ステップと、
端末スクリーンに第１ビデオ表示領域及び第２ビデオ表示領域を表示するステップであって、前記第１ビデオ表示領域が、前記参照ビデオ識別子に対応する前記参照ビデオコンテンツを表示するためのものであり、前記第２ビデオ表示領域が、端末撮像装置で収集されたリアルタイムビデオコンテンツを表示するためのものである、ステップと、
前記第１ビデオ表示領域で前記参照ビデオコンテンツを再生するとともに、前記第２ビデオ表示領域で、表示されている前記リアルタイムビデオコンテンツを録画するステップと、
録画した前記リアルタイムビデオコンテンツと、前記参照ビデオコンテンツとに基づいて、ターゲットビデオを生成するステップと、
を含む方法。
【請求項２】
ビデオ再生インタフェースで前記参照ビデオコンテンツを再生しているときに、参照撮影指示を受け付ける前記ステップは、
前記ビデオ再生インタフェースで前記参照ビデオコンテンツを再生しているときに、参照撮影開始点設定指示を受け付けるステップであって、前記参照撮影開始点設定指示には、参照撮影開始点情報が付されている、ステップと、
前記参照撮影開始点設定指示に基づいて、前記参照撮影指示を生成するステップであって、前記参照撮影指示には、前記参照撮影開始点情報がさらに含まれる、ステップと、
を含むことを特徴とする請求項１に記載の方法。
【請求項３】
ビデオ再生インタフェースで前記参照ビデオコンテンツを再生しているときに、参照撮影指示を受け付ける前記ステップは、
前記ビデオ再生インタフェースで前記参照ビデオコンテンツを再生しているときに、参照撮影終了点設定指示を受け付けるステップであって、前記参照撮影終了点設定指示には、参照撮影終了点情報が付されている、ステップと、
前記参照撮影終了点設定指示に基づいて、前記参照撮影指示を生成するステップであって、前記参照撮影指示には、前記参照撮影終了点情報がさらに含まれる、ステップと、
を含むことを特徴とする請求項１又は２に記載の方法。
【請求項４】
ビデオ再生インタフェースで前記参照ビデオコンテンツを再生しているときに、前記参照撮影指示を受け付ける前記ステップは、
前記ビデオ再生インタフェースで前記参照ビデオコンテンツを再生しているときに、前記ビデオ再生インタフェースで所定の操作を受け付けることにより、前記参照撮影指示を受け付けるステップ、
を含むことを特徴とする請求項１〜３のいずれか１項に記載の方法。
【請求項５】
前記第１ビデオ表示領域は、前記第２ビデオ表示領域の表示範囲内にあり、且つ前記第２ビデオ表示領域上に浮かび、及び／又は、
前記第１ビデオ表示領域と前記第２ビデオ表示領域との重なり面積は所定の閾値以下であり、前記所定の閾値は非負の数である、
ことを特徴とする請求項１〜４のいずれか１項に記載の方法。
【請求項６】
端末スクリーンに第１ビデオ表示領域及び第２ビデオ表示領域を表示する前記ステップの後に、
インタフェース調整指示を受け付け、前記インタフェース調整指示に従って、表示形態を調整するステップであって、前記表示形態が、第１ビデオ表示領域のサイズ、第１ビデオ表示領域の位置、第２ビデオ表示領域のサイズ、及び第２ビデオ表示領域の位置のうちの少なくとも１つを含む、ステップ、
をさらに含むことを特徴とする請求項１〜５のいずれか１項に記載の方法。
【請求項７】
端末スクリーンに第１ビデオ表示領域及び第２ビデオ表示領域を表示する前記ステップの後に、
前記参照ビデオコンテンツに追加リソースが含まれる場合、前記追加リソース及び前記追加リソースのリソース情報のうちの少なくとも１つを前記第２ビデオ表示領域に表示するステップであって、前記追加リソースには、音楽、ウィジェット、特殊効果、及び話題のうちの少なくとも１つが含まれる、ステップ、
をさらに含むことを特徴とする請求項１〜６のいずれか１項に記載の方法。
【請求項８】
前記参照ビデオコンテンツに追加リソースが含まれる場合、前記追加リソース及び前記追加リソースのリソース情報のうちの少なくとも１つを前記第２ビデオ表示領域に表示する前記ステップは、
前記追加リソースに前記音楽が含まれる場合、前記音楽をロードするステップと、
前記追加リソースに前記ウィジェットが含まれる場合、前記ウィジェットをロードするステップと、
前記追加リソースに前記話題が含まれる場合、前記話題をロードするステップと、
ロード済みの前記追加リソース、及びロード済みの前記追加リソースのリソース情報のうちの少なくとも１つを前記第２ビデオ表示領域に表示するステップと、
を含むことを特徴とする請求項７に記載の方法。
【請求項９】
前記参照ビデオコンテンツには、ビデオリソース及び前記追加リソースが含まれ、
前記方法は、
端末スクリーンに第１ビデオ表示領域及び第２ビデオ表示領域を表示する前記ステップの後に、
前記追加リソースに前記音楽が含まれない場合、前記参照ビデオコンテンツにおける前記ビデオリソースのオーディオをロードするステップと、
ロード済みの前記オーディオのオーディオ情報を前記第２ビデオ表示領域に表示するステップと、
をさらに含むことを特徴とする請求項８に記載の方法。
【請求項１０】
前記追加リソース及び前記追加リソースのリソース情報のうちの少なくとも１つを前記第２ビデオ表示領域に表示する前記ステップの前に、対応する前記追加リソースをダウンロードするステップ、
をさらに含むことを特徴とする請求項７〜９のいずれか１項に記載の方法。
【請求項１１】
前記参照ビデオコンテンツに追加リソースが含まれる場合、前記追加リソース及び前記追加リソースのリソース情報のうちの少なくとも１つを前記第２ビデオ表示領域に表示する前記ステップは、
前記参照ビデオコンテンツに追加リソースが含まれ、且つ同じタイプの追加リソースを追加するための指示を受け付けた場合、前記同じタイプの追加リソースを追加するための指示におけるリソース識別子に従って、前記追加リソース及び前記追加リソースのリソース情報のうちの少なくとも１つを前記第２ビデオ表示領域に表示するステップ、
を含むことを特徴とする請求項７〜１０のいずれか１項に記載の方法。
【請求項１２】
前記同じタイプの追加リソースを追加するための指示における前記リソース識別子は、前記参照ビデオコンテンツにおける所定の前記追加リソースの前記リソース識別子を含む、
ことを特徴とする請求項１１に記載の方法。
【請求項１３】
前記第１ビデオ表示領域で前記参照ビデオコンテンツを再生するとともに、前記第２ビデオ表示領域で、表示されている前記リアルタイムビデオコンテンツを録画する前記ステップの前に、
リソース追加指示を受け付け、前記リソース追加指示におけるリソース識別子に対応するリソースを前記第２ビデオ表示領域に追加するステップであって、前記リソースには、音楽、ウィジェット、特殊効果、話題、及びビデオリソースのオーディオのうちの少なくとも１つが含まれる、ステップ、
をさらに含むことを特徴とする請求項１〜１２のいずれか１項に記載の方法。
【請求項１４】
前記第１ビデオ表示領域で前記参照ビデオコンテンツを再生するとともに、前記第２ビデオ表示領域で、表示されている前記リアルタイムビデオコンテンツを録画する前記ステップは、
速度変更録画指示を受け付けるステップであって、前記速度変更録画指示には、速度変更倍率が付されている、ステップと、
前記速度変更倍率に基づいて、前記参照ビデオコンテンツの再生速度、及び前記リアルタイムビデオコンテンツの録画速度のうちの少なくとも１つを決定するテップと、
前記第１ビデオ表示領域で、前記参照ビデオコンテンツを前記再生速度で再生し、及び／又は、前記第２ビデオ表示領域で、表示されている前記リアルタイムビデオコンテンツを前記録画速度で録画するステップと、
を含むことを特徴とする請求項１〜１３のいずれか１項に記載の方法。
【請求項１５】
前記参照ビデオ識別子の数が２以上である、ことを特徴とする請求項１〜１４のいずれか１項に記載の方法。
【請求項１６】
前記第１ビデオ表示領域で前記参照ビデオコンテンツを再生するとともに、前記第２ビデオ表示領域で、表示されている前記リアルタイムビデオコンテンツを録画する前記ステップは、
前記第２ビデオ表示領域で、表示されている前記リアルタイムビデオコンテンツを録画しているときに、前記第１ビデオ表示領域で、所定の順番に従って、各前記参照ビデオ識別子に対応する前記参照ビデオコンテンツを再生するステップであって、前記参照ビデオ識別子のそれぞれに対応する前記参照ビデオコンテンツが、前記ターゲットビデオにおける１つのターゲットクリップに対応するものである、ステップ、
を含むことを特徴とする請求項１５に記載の方法。
【請求項１７】
前記第２ビデオ表示領域で、表示されている前記リアルタイムビデオコンテンツを録画しているときに、前記第１ビデオ表示領域で、所定の順番に従って、前記参照ビデオ識別子のそれぞれに対応する前記参照ビデオコンテンツを再生する前記ステップは、
前記第２ビデオ表示領域で、表示されている前記ターゲットクリップの前記リアルタイムビデオコンテンツを録画しているときに、前記第１ビデオ表示領域で、前記ターゲットクリップに対応する前記参照ビデオ識別子に対応する前記参照ビデオコンテンツを再生するステップと、
前記ターゲットクリップに対応する前記参照ビデオ識別子に対応する前記参照ビデオコンテンツに基づいて、前記ターゲットクリップに対して時間差調整を行うステップと、
を含むことを特徴とする請求項１６に記載の方法。
【請求項１８】
録画した前記リアルタイムビデオコンテンツと、前記参照ビデオコンテンツとに基づいて、ターゲットビデオを生成する前記ステップは、
所定のビデオ合成ストラテジーに従って、録画した前記リアルタイムビデオコンテンツの映像と、所定のオーディオとを合成することにより、ターゲットビデオを生成するステップ、
を含むことを特徴とする請求項１〜１７のいずれか１項に記載の方法。
【請求項１９】
録画した前記リアルタイムビデオコンテンツと、前記参照ビデオコンテンツとに基づいて、ターゲットビデオを生成する前記ステップの後に、
ビデオ編集指示を受け付け、前記ビデオ編集指示に従って、前記ターゲットビデオを編集するステップ、及び／又は、
ビデオ投稿指示を受け付け、前記ビデオ投稿指示に従って、前記ターゲットビデオを投稿するステップ、
をさらに含むことを特徴とする請求項１〜１８のいずれか１項に記載の方法。
【請求項２０】
端末機器に設置されたビデオ作成装置であって、
ビデオ再生インタフェースで参照ビデオコンテンツを再生しているときに、参照撮影指示を受け付け、前記参照撮影指示には、参照ビデオ識別子が含まれる参照撮影指示受付モジュールと、
端末スクリーンに第１ビデオ表示領域及び第２ビデオ表示領域を表示し、前記第１ビデオ表示領域が、前記参照ビデオ識別子に対応する前記参照ビデオコンテンツを表示するためのものであり、前記第２ビデオ表示領域が、端末撮像装置で収集されたリアルタイムビデオコンテンツを表示するためのものであるビデオ領域表示モジュールと、
前記第１ビデオ表示領域で前記参照ビデオコンテンツを再生するとともに、前記第２ビデオ表示領域で、表示されている前記リアルタイムビデオコンテンツを録画するビデオ再生録画モジュールと、
録画された前記リアルタイムビデオコンテンツと、前記参照ビデオコンテンツとに基づいて、ターゲットビデオを生成するターゲットビデオ生成モジュールと、
を備える装置。
【請求項２１】
メモリとプロセッサとを備えるコンピュータ機器であって、前記メモリには、コンピュータプログラムが記憶され、前記プロセッサは、前記コンピュータプログラムを実行すると、請求項１〜１９のいずれか１項に記載の方法のステップを実現する、ことを特徴とするコンピュータ機器。
【請求項２２】
コンピュータプログラムを記憶したコンピュータ可読記憶媒体であって、前記コンピュータプログラムは、プロセッサにより実行されると、請求項１〜１９のいずれか１項に記載の方法のステップを実現させる、ことを特徴とする記憶媒体。
【請求項２３】
請求項１〜１９のいずれか１項に記載のビデオ作成方法を、端末に実行させるコンピュータプログラム。
【国際調査報告】
2021520146.tif 000015
2021520146.tif 000016
2021520146.tif 000017
2021520146.tif 000018